(57)【要約】      （修正有）【課題】無線通信において帯域幅シナリオを変えるためにリソース・ブロック（ＲＢ）をバンドルする方法および装置を提供する。【解決手段】複数のアクセス・ポイントが、デバイスのために調整されたマルチ・ポイント（ＣｏＭＰ）セットを形成する場合、アクセス・ポイントは、デバイスへの送信をプリコードするために、共通ＲＢバンドル・サイズを使用するように構成される。別の態様では、デバイスに帯域幅および帯域幅拡大が割り当てられている場合、帯域幅および帯域幅拡大のために、統合的にまたは個別に、ＲＢバンドル・サイズが決定される。ＲＢバンドル・サイズは、帯域幅に基づいて、または、帯域幅および帯域幅拡大に基づいて決定される。【選択図】図５
2014209769.tif 000002
【特許請求の範囲】
【請求項１】
無線通信の方法であって、
デバイスのために調整された送信をサポートするアクセス・ポイントのセットを決定することと、
前記デバイスのための送信をプリコーディングする際に利用するための、前記アクセス・ポイントのセットのための共通リソース・ブロック・バンドル・サイズを決定することと、
前記共通リソース・ブロック・バンドル・サイズに少なくとも部分的に基づいて、複数のリソース・ブロックをバンドルすることと、を備える方法。
【請求項２】
前記アクセス・ポイントのセットは、前記デバイスと通信するために第２のアクセス・ポイントによって利用される第２の送信帯域幅とは異なる、前記デバイスと通信するための第１の送信帯域幅を利用する第１のアクセス・ポイントを含む、請求項１に記載の方法。
【請求項３】
前記共通リソース・ブロック・バンドル・サイズを、前記アクセス・ポイントのセットにおける少なくとも１つのアクセス・ポイントへ、バックホール接続を介して通信すること、をさらに備える請求項１に記載の方法。
【請求項４】
前記共通リソース・ブロック・バンドル・サイズを決定することは、前記アクセス・ポイントのセットにおけるサービス提供アクセス・ポイントの送信帯域幅に少なくとも部分的に基づいて、リソース・ブロック・バンドル・サイズを利用することを含む、請求項１に記載の方法。
【請求項５】
前記アクセス・ポイントのセットにおける１または複数のアクセス・ポイントのうちの、別の１または複数のリソース・ブロック・バンドル・サイズを決定することをさらに備え、
前記共通リソース・ブロック・バンドル・サイズを決定することは、ローカル・リソース・ブロック・バンドル・サイズと、前記別の１または複数のリソース・ブロック・バンドル・サイズとの関数として、前記共通リソース・ブロック・バンドル・サイズを計算することを含む、請求項１に記載の方法。
【請求項６】
前記関数は、最小関数、最大関数、および平均関数のうちの１つを含む、請求項５に記載の方法。
【請求項７】
前記別の１または複数のリソース・ブロック・バンドル・サイズを決定することは、
前記１または複数のアクセス・ポイントから、前記別の１または複数のリソース・ブロック・バンドル・サイズを受信することと、
前記１または複数のアクセス・ポイントの１または複数の送信帯域幅から、前記別の１または複数のリソース・ブロック・バンドル・サイズを導出することと、のうちの１つを含む、請求項５に記載の方法。
【請求項８】
前記共通リソース・ブロック・バンドル・サイズを決定することは、前記アクセス・ポイントのセットが、前記デバイスのために調整された送信をサポートすると判定することに少なくとも部分的に基づいて、リソース・ブロックをバンドルすることをディセーブルすることを含む、請求項１に記載の方法。
【請求項９】
前記共通リソース・ブロック・バンドル・サイズを前記デバイスへシグナルすること、をさらに備える請求項１に記載の方法。
【請求項１０】
無線通信のための装置であって、
デバイスのために調整された送信をサポートするアクセス・ポイントのセットを決定し、
前記デバイスのための送信をプリコーディングする際に利用するための、前記アクセス・ポイントのセットのための共通リソース・ブロック・バンドル・サイズを決定し、
前記共通リソース・ブロック・バンドル・サイズに少なくとも部分的に基づいて、複数のリソース・ブロックをバンドルするように構成された少なくとも１つのプロセッサと、
前記少なくとも１つのプロセッサに接続されたメモリと、を備える装置。
【請求項１１】
前記アクセス・ポイントのセットは、前記デバイスと通信するために第２のアクセス・ポイントによって利用される第２の送信帯域幅とは異なる、前記デバイスと通信するための第１の送信帯域幅を利用する第１のアクセス・ポイントを含む、請求項１０に記載の装置。
【請求項１２】
前記少なくとも１つのプロセッサはさらに、前記共通リソース・ブロック・バンドル・サイズを、前記アクセス・ポイントのセットにおける少なくとも１つのアクセス・ポイントへ、バックホール接続を介して通信するように構成された、請求項１０に記載の装置。
【請求項１３】
前記少なくとも１つのプロセッサは、前記アクセス・ポイントのセットにおけるサービス提供アクセス・ポイントの送信帯域幅に少なくとも部分的に基づいて、リソース・ブロック・バンドル・サイズを利用することによって、前記共通リソース・ブロック・バンドル・サイズを決定するように構成された、請求項１０に記載の装置。
【請求項１４】
前記少なくとも１つのプロセッサはさらに、前記アクセス・ポイントのセットにおける１または複数のアクセス・ポイントのうちの、別の１または複数のリソース・ブロック・バンドル・サイズを決定するように構成され、
前記少なくとも１つのプロセッサは、ローカル・リソース・ブロック・バンドル・サイズと、前記別の１または複数のリソース・ブロック・バンドル・サイズとの関数として、前記共通リソース・ブロック・バンドル・サイズを計算することによって、前記共通リソース・ブロック・バンドル・サイズを決定するように構成された、請求項１０に記載の装置。
【請求項１５】
前記関数は、最小関数、最大関数、および平均関数のうちの１つを含む、請求項１４に記載の装置。
【請求項１６】
前記少なくとも１つのプロセッサは、
前記１または複数のアクセス・ポイントから、前記別の１または複数のリソース・ブロック・バンドル・サイズを受信することと、
前記１または複数のアクセス・ポイントの１または複数の送信帯域幅から、前記別の１または複数のリソース・ブロック・バンドル・サイズを導出することと、のうちの１つによって、前記別の１または複数のリソース・ブロック・バンドル・サイズを決定するように構成された、請求項１４に記載の装置。
【請求項１７】
前記少なくとも１つのプロセッサは、前記アクセス・ポイントのセットが、前記デバイスのために調整された送信をサポートすると判定することに少なくとも部分的に基づいて、リソース・ブロックをバンドルすることをディセーブルすることによって、前記共通リソース・ブロック・バンドル・サイズを決定するように構成された、請求項１０に記載の装置。
【請求項１８】
前記少なくとも１つのプロセッサはさらに、前記共通リソース・ブロック・バンドル・サイズを前記デバイスへシグナルするように構成された、請求項１０に記載の装置。
【請求項１９】
無線通信のための装置であって、
デバイスのために調整された送信をサポートするアクセス・ポイントのセットを決定する手段と、
前記デバイスのための送信をプリコーディングする際に利用するための、前記アクセス・ポイントのセットのための共通リソース・ブロック・バンドル・サイズを決定する手段と、
前記共通リソース・ブロック・バンドル・サイズに少なくとも部分的に基づいて、複数のリソース・ブロックをバンドルする手段と、を備える装置。
【請求項２０】
前記アクセス・ポイントのセットは、前記デバイスと通信するために第２のアクセス・ポイントによって利用される第２の送信帯域幅とは異なる、前記デバイスと通信するための第１の送信帯域幅を利用する第１のアクセス・ポイントを含む、請求項１９に記載の装置。
【請求項２１】
前記共通リソース・ブロック・バンドル・サイズを、前記アクセス・ポイントのセットにおける少なくとも１つのアクセス・ポイントへ、バックホール接続を介して通信する手段、をさらに備える請求項１９に記載の装置。
【請求項２２】
前記共通リソース・ブロック・バンドル・サイズを決定する手段は、前記アクセス・ポイントのセットにおけるサービス提供アクセス・ポイントの送信帯域幅に少なくとも部分的に基づいて、リソース・ブロック・バンドル・サイズを利用する手段を含む、請求項１９に記載の装置。
【請求項２３】
前記アクセス・ポイントのセットにおける１または複数のアクセス・ポイントのうちの、別の１または複数のリソース・ブロック・バンドル・サイズを決定する手段をさらに備え、
前記共通リソース・ブロック・バンドル・サイズを決定する手段は、ローカル・リソース・ブロック・バンドル・サイズと、前記別の１または複数のリソース・ブロック・バンドル・サイズとの関数として、前記共通リソース・ブロック・バンドル・サイズを計算する手段を含む、請求項１９に記載の装置。
【請求項２４】
前記関数は、最小関数、最大関数、および平均関数のうちの１つを含む、請求項２３に記載の装置。
【請求項２５】
前記別の１または複数のリソース・ブロック・バンドル・サイズを決定する手段は、
前記１または複数のアクセス・ポイントから、前記別の１または複数のリソース・ブロック・バンドル・サイズを受信する手段と、
前記１または複数のアクセス・ポイントの１または複数の送信帯域幅から、前記別の１または複数のリソース・ブロック・バンドル・サイズを導出する手段と、のうちの１つを含む、請求項２３に記載の装置。
【請求項２６】
前記共通リソース・ブロック・バンドル・サイズを決定する手段は、前記アクセス・ポイントのセットが、前記デバイスのために調整された送信をサポートすると判定することに少なくとも部分的に基づいて、リソース・ブロックをバンドルすることをディセーブルする手段を含む、請求項１９に記載の装置。
【請求項２７】
前記共通リソース・ブロック・バンドル・サイズを前記デバイスへシグナルする手段、をさらに含む請求項１９に記載の装置。
【請求項２８】
コンピュータ読取可能な媒体を備えるコンピュータ・プログラム製品であって、
前記コンピュータ読取可能な媒体は、
少なくとも１つのコンピュータに対して、デバイスのために調整された送信をサポートするアクセス・ポイントのセットを決定させるための命令群と、
前記少なくとも１つのコンピュータに対して、前記デバイスのための送信をプリコーディングする際に利用するための、前記アクセス・ポイントのセットのための共通リソース・ブロック・バンドル・サイズを決定させるための命令群と、
前記少なくとも１つのコンピュータに対して、前記共通リソース・ブロック・バンドル・サイズに少なくとも部分的に基づいて、複数のリソース・ブロックをバンドルさせるための命令群とを備える、コンピュータ・プログラム製品。
【請求項２９】
前記アクセス・ポイントのセットは、前記デバイスと通信するために第２のアクセス・ポイントによって利用される第２の送信帯域幅とは異なる、前記デバイスと通信するための第１の送信帯域幅を利用する第１のアクセス・ポイントを含む、請求項２８に記載のコンピュータ・プログラム製品。
【請求項３０】
前記コンピュータ読取可能な媒体はさらに、前記少なくとも１つのコンピュータに対して、前記共通リソース・ブロック・バンドル・サイズを、前記アクセス・ポイントのセットにおける少なくとも１つのアクセス・ポイントへ、バックホール接続を介して通信させるための命令群を含む、請求項２８に記載のコンピュータ・プログラム製品。
【請求項３１】
前記少なくとも１つのコンピュータに対して、前記共有リソース・ブロック・サイズを決定させるための命令群は、前記少なくとも１つのコンピュータに対して、前記アクセス・ポイントのセットにおけるサービス提供アクセス・ポイントの送信帯域幅に少なくとも部分的に基づいて、リソース・ブロック・バンドル・サイズを利用させるための命令群を含む、請求項２８に記載のコンピュータ・プログラム製品。
【請求項３２】
前記コンピュータ読取可能な媒体はさらに、前記少なくとも１つのコンピュータに対して、前記アクセス・ポイントのセットにおける１または複数のアクセス・ポイントのうちの、別の１または複数のリソース・ブロック・バンドル・サイズを決定させるための命令群を含み、
前記少なくとも１つのコンピュータに対して、前記共通リソース・ブロック・サイズを決定させるための命令群は、
前記少なくとも１つのコンピュータに対して、ローカル・リソース・ブロック・バンドル・サイズと、前記別の１または複数のリソース・ブロック・バンドル・サイズとの関数として、前記共通リソース・ブロック・バンドル・サイズを計算させるための命令群を含む、請求項２８に記載のコンピュータ・プログラム製品。
【請求項３３】
前記関数は、最小関数、最大関数、および平均関数のうちの１つを含む、請求項３２に記載のコンピュータ・プログラム製品。
【請求項３４】
前記少なくとも１つのコンピュータに対して、前記別の１または複数のリソース・ブロック・バンドル・サイズを決定させるための命令群は、
前記少なくとも１つのコンピュータに対して、前記１または複数のアクセス・ポイントから、前記別の１または複数のリソース・ブロック・バンドル・サイズを受信させるための命令群と、
前記少なくとも１つのコンピュータに対して、前記１または複数のアクセス・ポイントの１または複数の送信帯域幅から、前記別の１または複数のリソース・ブロック・バンドル・サイズを導出させるための命令群とのうちの１つを含む、請求項３２に記載のコンピュータ・プログラム製品。
【請求項３５】
前記少なくとも１つのコンピュータに対して、前記共通リソース・ブロック・バンドル・サイズを決定させるための命令群は、前記少なくとも１つのコンピュータに対して、前記アクセス・ポイントのセットが、前記デバイスのために調整された送信をサポートすると判定することに少なくとも部分的に基づいて、リソース・ブロックをバンドルすることをディセーブルさせるための命令群を含む、請求項２８に記載のコンピュータ・プログラム製品。
【請求項３６】
前記コンピュータ読取可能な媒体はさらに、前記少なくとも１つのコンピュータに対して、前記共通リソース・ブロック・バンドル・サイズを前記デバイスへシグナルさせるための命令群を含む、請求項２８に記載のコンピュータ・プログラム製品。
【請求項３７】
無線通信の方法であって、
帯域幅および帯域幅拡大を含む、リソース割当に関するリソース・ブロック・バンドル・サイズを決定することと、
プリコードするため、または、複数のリソース・ブロックからプリコーディングを除去するために、前記リソース・ブロック・バンドル・サイズを利用することと、を備える方法。
【請求項３８】
前記決定することは、前記帯域幅に基づいて、前記リソース・ブロック・バンドル・サイズを決定することを含む、請求項３７に記載の方法。
【請求項３９】
前記決定することは、前記帯域幅および前記帯域幅拡大に基づいて、前記リソース・ブロック・バンドル・サイズを決定することを含む、請求項３７に記載の方法。
【請求項４０】
前記決定することは、
前記帯域幅に基づいて、前記リソース割当の第１の部分のための第１のリソース・ブロック・バンドル・サイズを決定することと、
前記帯域幅拡大に基づいて、前記リソース割当の第２の部分のための第２のリソース・ブロック・バンドル・サイズを決定することとを含む、請求項３７に記載の方法。
【請求項４１】
無線通信のための装置であって、
帯域幅および帯域幅拡大を含む、リソース割当に関するリソース・ブロック・バンドル・サイズを決定し、
プリコードするため、または、複数のリソース・ブロックからプリコーディングを除去するために、前記リソース・ブロック・バンドル・サイズを利用するように構成された少なくとも１つのプロセッサと、
前記少なくとも１つのプロセッサに接続されたメモリと、を備える装置。
【請求項４２】
前記少なくとも１つのプロセッサは、前記帯域幅に基づいて、前記リソース・ブロック・バンドル・サイズを決定するように構成された、請求項４１に記載の装置。
【請求項４３】
前記少なくとも１つのプロセッサは、前記帯域幅および前記帯域幅拡大に基づいて、前記リソース・ブロック・バンドル・サイズを決定するように構成された、請求項４１に記載の装置。
【請求項４４】
前記少なくとも１つのプロセッサは、
前記帯域幅に基づいて、前記リソース割当の第１の部分のための第１のリソース・ブロック・バンドル・サイズを決定することと、
前記帯域幅拡大に基づいて、前記リソース割当の第２の部分のための第２のリソース・ブロック・バンドル・サイズを決定することとによって、前記リソース・ブロック・バンドル・サイズを決定するように構成された、請求項４１に記載の装置。
【請求項４５】
無線通信のための装置であって、
帯域幅および帯域幅拡大を含む、リソース割当に関するリソース・ブロック・バンドル・サイズを決定する手段と、
プリコードするため、または、複数のリソース・ブロックからプリコーディングを除去するために、前記リソース・ブロック・バンドル・サイズを利用する手段と、を備える装置。
【請求項４６】
前記決定する手段は、前記帯域幅に基づいて、前記リソース・ブロック・バンドル・サイズを決定する手段を含む、請求項４５に記載の装置。
【請求項４７】
前記決定する手段は、前記帯域幅および前記帯域幅拡大に基づいて、前記リソース・ブロック・バンドル・サイズを決定する手段を含む、請求項４５に記載の装置。
【請求項４８】
前記決定する手段は、
前記帯域幅に基づいて、前記リソース割当の第１の部分のための第１のリソース・ブロック・バンドル・サイズを決定する手段と、
前記帯域幅拡大に基づいて、前記リソース割当の第２の部分のための第２のリソース・ブロック・バンドル・サイズを決定する手段とを含む、請求項４５に記載の装置。
【請求項４９】
コンピュータ読取可能な媒体を備えるコンピュータ・プログラム製品であって、
前記コンピュータ読取可能な媒体は、
少なくとも１つのコンピュータに対して、帯域幅および帯域幅拡大を含む、リソース割当に関するリソース・ブロック・バンドル・サイズを決定させるための命令群と、
前記少なくとも１つのコンピュータに対して、プリコードするため、または、複数のリソース・ブロックからプリコーディングを除去するために、前記リソース・ブロック・バンドル・サイズを利用させるための命令群とを備える、コンピュータ・プログラム製品。
【請求項５０】
前記少なくとも１つのコンピュータに対して決定させるための命令群は、前記少なくとも１つのコンピュータに対して、前記帯域幅に基づいて、前記リソース・ブロック・バンドル・サイズを決定させるための命令群を含む、請求項４９に記載のコンピュータ・プログラム製品。
【請求項５１】
前記少なくとも１つのコンピュータに対して決定させるための命令群は、前記少なくとも１つのコンピュータに対して、前記帯域幅および前記帯域幅拡大に基づいて、前記リソース・ブロック・バンドル・サイズを決定させるための命令群を含む、請求項４９に記載のコンピュータ・プログラム製品。
【請求項５２】
前記少なくとも１つのコンピュータに対して決定させるための命令群は、
前記少なくとも１つのコンピュータに対して、前記帯域幅に基づいて、前記リソース割当の第１の部分のための第１のリソース・ブロック・バンドル・サイズを決定させるための命令群と、
前記少なくとも１つのコンピュータに対して、前記帯域幅拡大に基づいて、前記リソース割当の第２の部分のための第２のリソース・ブロック・バンドル・サイズを決定させるための命令群とを含む、請求項４９に記載のコンピュータ・プログラム製品。
【発明の詳細な説明】
【技術分野】
【０００１】
以下の記載は、一般に、無線ネットワーク通信に関し、さらに詳しくは、バンドルされたリソース・ブロック割当に関する。
【背景技術】
【０００２】
無線通信システムは、例えば、音声、データ等のようなさまざまなタイプの通信コンテンツを提供するために広く開発された。一般に、無線通信システムは、利用可能なシステム・リソース（例えば、帯域幅および送信電力）を共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）、３ＧＰＰロング・ターム・イボリューション（ＬＴＥ）、ウルトラ・モバイル・ブロードバンド（ＵＭＢ）、イボリューション・データ・オプティマイズド（ＥＶ−ＤＯ）等のような仕様に準拠しうる。
【０００３】
一般に、無線多元接続通信システムは、複数のモバイル・デバイスのための通信を同時にサポートしうる。モバイル・デバイスはおのおのの、順方向リンクおよび逆方向リンクによる送信を介して１または複数のアクセス・ポイントと通信しうる。順方向リンク（すなわちダウンリンク）は、アクセス・ポイントからモバイル・デバイスへの通信リンクを称し、逆方向リンク（すなわちアップリンク）は、モバイル・デバイスからアクセス・ポイントへの通信リンクを称する。さらに、モバイル・デバイスとアクセス・ポイントとの間の通信は、単一入力単一出力（ＳＩＳＯ）システム、複数入力単一出力（ＭＩＳＯ）システム、複数入力複数出力（ＭＩＭＯ）システム等によって確立されうる。
【０００４】
１つの例において、アクセス・ポイントは、プリコーディングを適用するために、モバイル・デバイスへ割り当てられたリソース・ブロック（ＲＢ）をバンドルしうる。アクセス・ポイントは、類似のプリコーディング行列またはベクトルを、バンドルされた所与の数のＲＢへ適用し、プリコードされたＲＢをモバイル・デバイスへ送信しうる。モバイル・デバイスは、バンドル内のＲＢの数を決定し、プリコーダに基づいて、ＲＢから、プリコーディングを除去しうる。ＲＢバンドル・サイズが、アクセス・ポイントによって設定され、モバイル・デバイスへシグナルされ、アクセス・ポイントおよび／またはモバイル・デバイスにおいてハードコードされる等がなされる。リソース・バンドル・サイズは、アクセス・ポイントによって利用される送信帯域幅に対応しうる。例えば、１０メガヘルツ（ＭＨｚ）帯域幅を用いるアクセス・ポイントは、３ＲＢであるＲＢバンドル・サイズを設定しうる一方、５ＭＨｚ帯域幅を用いるアクセス・ポイントは、２ＲＢであるＲＢバンドル・サイズを設定しうる。
【発明の概要】
【０００５】
以下は、１または複数の態様の基本的な理解を与えるために、このような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、以下の詳細な記載に対する前置きとして、簡略化された形式で１または複数の態様のいくつかの概念を表すことである。
【０００６】
１つの態様によれば、無線通信の方法が提供される。この方法は、デバイスのために調整された送信をサポートするアクセス・ポイントのセットを決定することと、デバイスのための送信をプリコーディングする際に利用するための、アクセス・ポイントのセットのための共通リソース・ブロック・バンドル・サイズを決定することと、を含む。この方法はさらに、共通リソース・ブロック・バンドル・サイズに少なくとも部分的に基づいて、複数のリソース・ブロックをバンドルすること、を含む。
【０００７】
別の態様では、無線通信のための装置が提供される。この装置は、デバイスのために調整された送信をサポートするアクセス・ポイントのセットを決定し、デバイスのための送信をプリコーディングする際に利用するための、アクセス・ポイントのセットのための共通リソース・ブロック・バンドル・サイズを決定する、ように構成された少なくとも１つのプロセッサを含む。この少なくとも１つのプロセッサはさらに、共通リソース・ブロック・バンドル・サイズに少なくとも部分的に基づいて、複数のリソース・ブロックをバンドルするように構成される。この装置はさらに、少なくとも１つのプロセッサに接続されたメモリを含む。
【０００８】
また別の態様では、デバイスのために調整された送信をサポートするアクセス・ポイントのセットを決定する手段と、デバイスのための送信をプリコーディングする際に利用するための、アクセス・ポイントのセットのための共通リソース・ブロック・バンドル・サイズを決定する手段とを含む、無線通信のための装置が提供される。この装置はさらに、共通リソース・ブロック・バンドル・サイズに少なくとも部分的に基づいて、複数のリソース・ブロックをバンドルする手段を含む。
【０００９】
別の態様では、コンピュータ読取可能な媒体を含むコンピュータ・プログラム製品が提供される。このコンピュータ読取可能な媒体は、少なくとも１つのコンピュータに対して、デバイスのために調整された送信をサポートするアクセス・ポイントのセットを決定させるための命令群と、少なくとも１つのコンピュータに対して、デバイスのための送信をプリコーディングする際に利用するための、アクセス・ポイントのセットのための共通リソース・ブロック・バンドル・サイズを決定させるための命令群と、を含む。このコンピュータ読取可能な媒体は、少なくとも１つのコンピュータに対して、共通リソース・ブロック・バンドル・サイズに少なくとも部分的に基づいて、複数のリソース・ブロックをバンドルさせるための命令群を含む。
【００１０】
別の態様によれば、帯域幅および帯域幅拡大を含む、リソース割当に関するリソース・ブロック・バンドル・サイズを決定することを含む、無線通信の方法が提供される。この方法はまた、プリコードするため、または、複数のリソース・ブロックからプリコーディングを除去するために、リソース・ブロック・バンドル・サイズを利用することを含む。
【００１１】
別の態様では、無線通信のための装置が提供される。この装置は、帯域幅および帯域幅拡大を含む、リソース割当に関するリソース・ブロック・バンドル・サイズを決定するように構成された少なくとも１つのプロセッサを含む。この少なくとも１つのプロセッサはさらに、プリコードするため、または、複数のリソース・ブロックからプリコーディングを除去するために、リソース・ブロック・バンドル・サイズを利用するように構成される。この装置はさらに、少なくとも１つのプロセッサに接続されたメモリを含む。
【００１２】
また別の態様では、帯域幅および帯域幅拡大を含む、リソース割当に関するリソース・ブロック・バンドル・サイズを決定する手段を含む、無線通信のための装置が提供される。この装置はさらに、プリコードするため、または、複数のリソース・ブロックからプリコーディングを除去するために、リソース・ブロック・バンドル・サイズを利用する手段を含む。
【００１３】
別の態様では、コンピュータ読取可能な媒体を含むコンピュータ・プログラム製品が提供される。このコンピュータ読取可能媒体は、少なくとも１つのコンピュータに対して、帯域幅および帯域幅拡大を含む、リソース割当に関するリソース・ブロック・バンドル・サイズを決定させるための命令群を含む。このコンピュータ読取可能な媒体はさらに、少なくとも１つのコンピュータに対して、プリコードするため、または、複数のリソース・ブロックからプリコーディングを除去するために、リソース・ブロック・バンドル・サイズを利用させるための命令群を含む。
【図面の簡単な説明】
【００１４】
開示された態様は、以下において、同一符番が同一要素を示す添付図面と連携して説明され、開示された態様を、限定することなく、例示するために提供される。
【図１】図１は、デバイスへの調整マルチ・ポイント（ＣｏＭＰ）通信をサポートするシステムを例示する。
【図２】図２は、ＣｏＭＰセットにおけるアクセス・ポイントのためのリソース・ブロック（ＲＢ）バンドル・サイズを決定するためのシステムのブロック図である。
【図３】図３は、帯域幅拡大を含むリソースをデバイスへ割り当てるためのシステムを例示する。
【図４】図４は、帯域幅拡大を伴うリソース割当のためのＲＢバンドル・サイズを決定するためのシステムのブロック図である。
【図５】図５は、デバイスへの送信を調整するアクセス・ポイントのためのＲＢバンドル・サイズを決定するための方法のフロー・チャートである。
【図６】図６は、帯域幅拡大を含むリソース割当のためのＲＢバンドル・サイズを決定するための方法のフロー・チャートである。
【図７】図７は、帯域幅拡大を含むリソース割当のためのＲＢバンドル・サイズを決定するためのモバイル・デバイスのブロック図である。
【図８】図８は、ＲＢバンドル・サイズを決定するためのシステムのブロック図である。
【図９】図９は、デバイスのための送信を調整するアクセス・ポイントのＲＢバンドル・サイズを決定するためのシステムのブロック図である。
【図１０】図１０は、帯域幅拡大を含むリソース割当のためのＲＢバンドル・サイズを決定するためのシステムのブロック図である。
【図１１】図１１は、本明細書に記載されたさまざまなシステムおよび方法と共に適用されうる無線ネットワーク環境のブロック図である。
【発明を実施するための形態】
【００１５】
さまざまな態様が、図面を参照して記載される。以下の記載では、説明の目的のために、１または複数の態様の完全な理解を提供するために、多くの具体的な詳細が述べられる。しかしながら、このような態様は、これら具体的な詳細無しで実現されうることが明確である。
【００１６】
本明細書にさらに記載されるように、リソース・ブロック（ＲＢ）バンドル・サイズは、デバイスが、複数の送信帯域幅を体験しうる場合に決定されうる。例えば、調整マルチ・ポイント（ＣｏＭＰ）通信では、所与のデバイスのために、共通ＲＢバンドル・サイズが決定され、ＣｏＭＰセット内のアクセス・ポイントのために利用されうる。別の例では、リソース・バンドルは、ＣｏＭＰ通信についてディセーブルされうる。さらに、アクセス・ポイントが、デバイスと通信する際に、帯域幅拡大を利用する場合、デバイスは、オリジナルの帯域幅のために、および／または、帯域幅拡大を用いた帯域幅との組み合わせのために、アクセス・ポイントによって使用されるＲＢバンドル・サイズを導出しうる。したがって、何れの場合であれ、デバイスが、１または複数のアクセス・ポイントによって通信されるＲＢからプリコーディングを除去できるように、共通ＲＢバンドル・サイズが、１または複数のアクセス・ポイントおよび対応するデバイスによって使用される。一般に、ダウンリンク通信の観点で記載されているが、本明細書に記載された概念は、アップリンク通信にも同様に適合しうることが認識されるべきである。
【００１７】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアのうちの何れかであるコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されうるか、および／または、２つ以上のコンピュータに分散されうる。さらに、これらの構成要素は、格納されたさまざまなデータ構造を有するさまざまなコンピュータ読取可能な媒体から実行しうる。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信しうる。
【００１８】
さらに、本明細書では、さまざまな態様が、端末に関連して記載される。端末は、システム、デバイス、加入者ユニット、加入者局、移動局、モバイル、モバイル・デバイス、遠隔局、遠隔端末、アクセス端末、ユーザ端末、通信デバイス、ユーザ・エージェント、ユーザ・デバイス、またはユーザ機器（ＵＥ）とも称されうる。端末は、セルラ電話、衛星電話、コードレス電話、セッション開始プロトコル（ＳＩＰ）電話、無線ローカル・ループ（ＷＬＬ）局、携帯情報端末（ＰＤＡ）、タブレット、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、端末との通信のために利用され、アクセス・ポイント、ノードＢ、イボルブド・ノードＢ（ｅＮＢ）、あるいはその他いくつかの用語で称されうる。
【００１９】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを適用する。」という句は、以下の例のうちの何れによっても満足される。ＸはＡを適用する。ＸはＢを適用する、あるいは、ＸはＡとＢとの両方を適用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２０】
本明細書に記載された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）およびＣＤＭＡのその他の変形を含んでいる。さらに、ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現しうる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰ  ＬＴＥは、ダウンリンクではＯＦＤＭＡを適用し、アップリンクではＳＣ−ＦＤＭＡを適用するＥ−ＵＴＲＡを用いるＵＭＴＳのリリースである。さらに、ｃｄｍａ２０００およびＵＭＢは、「第３世代パートナシップ計画２」（３ＧＰＰ２）と命名された組織からの文書に記載されている。さらに、このような無線通信システムは、しばしばペアをなさない無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２１】
さまざまな態様または特徴が、多くのデバイス、構成要素、モジュール等を含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識される。これらアプローチの組み合わせもまた使用されうる。
【００２２】
図１を参照して、ＣｏＭＰ通信をサポートする無線通信システム１００が例示される。システム１００は、複数のアクセス・ポイント１０２，１０４，１０６を含み、これらのうちの少なくとも一部は、デバイス１０８と通信しうる。例えば、アクセス・ポイント１０２，１０４，１０６は、マクロ・セルや、フェムト・セルや、ピコ・セルのアクセス・ポイント、モバイル基地局、中継ノード、（例えば、デバイス１０８とピア・トゥ・ピアまたはアド・ホック・モードで通信する）デバイス、これらの一部等でありうる。さらに、デバイス１０８は、ＵＥ、モデム（または、その他のテザー・デバイス）、これらの一部等でありうる。
【００２３】
例えば、アクセス・ポイント１０２，１０４，１０６は、ＣｏＭＰ通信をデバイス１０８へ提供しうる。これによって、アクセス・ポイント１０２，１０４，１０６は、同様のリソースで、同様の信号をデバイス１０８へ送信できるようになる（例えば、アクセス・ポイント１０２は、信号１１０を送信し、アクセス・ポイント１０４は、信号１１２を送信する等）。これは、システム１００におけるスループットを向上しうる。なぜなら、デバイス１０８は、アクセス・ポイント１０２，１０４，１０６のうちの少なくとも一部から信号を同時に受信し処理しうるからである。図示された例では、アクセス・ポイント１０２，１０４は、デバイス１０８と通信するために指定され、したがって、デバイス１０８のためのＣｏＭＰセット内にありうる。デバイス１０８が無線ネットワークの全体にわたって移動すると、例えばアクセス・ポイント１０６のようなさらなるアクセス・ポイントが、デバイス１０８のためのＣｏＭＰセットに追加されうるか、および／または、例えばアクセス・ポイント１０２，１０４のようないくつかのアクセス・ポイントが、ＣｏＭＰセットから除去されうる。これは、例えば、アクセス・ポイント１０２，１０４，１０６におけるラジオ条件の変化に少なくとも部分的に基づきうる。これによって、ＣｏＭｐセット内のアクセス・ポイントは、（例えば、信号対雑音比（ＳＮＲ）に基づいて、）少なくともしきい通信品質をデバイス１０８へ提供できるようになる。
【００２４】
さらに、アクセス・ポイント１０２，１０４のうちの少なくとも１つは、デバイス１０８のサービス提供アクセス・ポイントでありうる。これによって、デバイス１０８は、ＣｏＭＰセット内のすべてのアクセス・ポイントとユーザ・プレーン・データを通信しながら、サービス提供アクセス・ポイントへ制御情報を通信できるようになる。さらに、デバイス１０８は、ＣｏＭＰセット内のアクセス・ポイントを、サービス提供アクセス・ポイントへ示しうる。および／または、デバイス１０８は、無線ネットワークの全体にわたって移動すると、サービス提供アクセス・ポイントは、デバイス１０８からサービス提供アクセス・ポイントへ提供される測定レポートに基づいて、ＣｏＭＰセットのためのアクセス・ポイントを選択しうる。
【００２５】
説明するように、ＲＢバンドル・サイズは一般に、送信帯域幅に基づきうる。アクセス・ポイント１０２，１０４間の送信帯域幅が中心にあるキャリア周波数は、デバイス１０８において、関連する信号を同時に受信できるように類似しうるものの、変動しうる。例えば、アクセス・ポイント１０４は、フェムト・セルまたはその他の小規模なアクセス・ポイントであり、マクロ・セル・アクセス・ポイントでありうるアクセス・ポイント１０２よりも狭い送信帯域幅を利用する。何れの場合であれ、送信帯域幅が変動すると、アクセス・ポイント１０２，１０４間のＲＢバンドル・サイズもまた変動しうる。したがって、本明細書に説明するように、アクセス・ポイント１０２，１０４は、デバイス１０８と通信している場合、同じＲＢバンドル・サイズを利用しうる。このため、説明されている態様は、共通ＲＢバンドル・サイズを調整すること、このサイズを個別に計算すること、ＣｏＭＰ通信のためにＲＢバンドルを使用しないこと等のうちの１または複数からなる装置および方法を含む。デバイス１０８のためのＣｏＭＰセットにおいて、２つのアクセス・ポイント１０２，１０４しか示されていないが、さらなるアクセス・ポイントがＣｏＭＰセット内に存在することができ、さらに、本明細書に記載された概念は、ＣｏＭＰセット内のさらなるアクセス・ポイントのためにも適用されうることが認識されるべきである。
【００２６】
例えば、アクセス・ポイント１０２は、アクセス・ポイント１０４をも含むＣｏＭＰセット内のデバイス１０８のサービス提供アクセス・ポイントでありうる。一例において、サービス提供アクセス・ポイント１０２のＲＢバンドル・サイズは、ＣｏＭＰセット内のアクセス・ポイントによって利用されうる。したがって、アクセス・ポイント１０２は、アクセス・ポイント１０４を含む、ＣｏＭＰセット内のアクセス・ポイントへ、ＲＢバンドル・サイズを通信しうる。そして、アクセス・ポイント１０４は、デバイス１０８との通信の際に、サービス提供アクセス・ポイント１０２のＲＢバンドル・サイズを利用しうる。別の例では、ＲＢバンドル・サイズは、ＣｏＭＰセット内のアクセス・ポイント１０２，１０４、および／または、所与の送信に参加するＣｏＭＰセット内のこれらアクセス・ポイントにわたるバンドル・サイズの関数として計算されうる。この例では、ＲＢバンドル・サイズは、ＣｏＭＰセット内のアクセス・ポイント１０２，１０４間で、および／または、サービス提供アクセス・ポイント１０２へ通信されうる。アクセス・ポイント１０２，１０４はおのおの、セットのためのＲＢバンドル・サイズを個別に計算しうるか、および／または、サービス提供アクセス・ポイント１０２が、ＲＢバンドル・サイズを計算し、このサイズを、（例えば、同じアルゴリズムを用いて）ＣｏＭＰセット内の他のアクセス・ポイント１０４へ提供しうる。また別の例では、ＣｏＭＰセットにおけるアクセス・ポイント１０２，１０４は、ＣｏＭＰ通信のためのＲＢをバンドルしない場合がある。さらに、例えば、決定されたＲＢバンドル・サイズは、ＣｏＭＰセットが変更されないまま、所与の送信のため、所与の期間、デバイス１０８のために、ＣｏＭＰセット内のアクセス・ポイント１０２，１０４によって使用されうる。
【００２７】
図２に示すように、ＣｏＭＰセットにおけるアクセス・ポイントのためのＲＢバンドル・サイズを決定することを容易にする無線通信システム２００が例示されている。システム２００は、アクセス・ポイント２０２を含み、オプションとして、デバイス２０６のためのＣｏＭＰセット内にありうるアクセス・ポイント２０４を含みうる。一例では、これは、ＣｏＭＰセット内のアクセス・ポイント２０２，２０４のみならず、特定のサブフレームまたは周波数領域リソースをデバイス２０６へ送信するために利用可能なアクセス・ポイント２０２，２０４に対応しうる。したがって、アクセス・ポイント２０２，２０４は、同様のリソースで、同様の信号をデバイス２０６へ送信しうる。説明するように、アクセス・ポイント２０２，２０４はおのおの、マクロ・セル、フェムト・セル、ピコ・セル、または類似のアクセス・ポイント、これらの一部等であり、デバイス２０６は、ＵＥ、モデム（またはその他のテザー・デバイス）、これらの一部等でありうる。
【００２８】
アクセス・ポイント２０２は、所与のデバイスのためのＣｏＭＰセット内の１または複数のアクセス・ポイントを識別するためのＣｏＭＰセット判定構成要素２０８と、ＣｏＭＰセット内の１または複数のアクセス・ポイントによって利用されるＲＢバンドル・サイズを取得するためのオプションのバンドル・サイズ受信構成要素２１０と、を備えうる。アクセス・ポイント２０２はさらに、ＣｏＭＰセットのためのＲＢバンドル・サイズを決定するためのセット・バンドル・サイズ決定構成要素２１２と、ＣｏＭＰセットのためのＲＢバンドル・サイズを、ＣｏＭＰセット内の１または複数の別のアクセス・ポイントへ指定するための、オプションのセット・バンドル・サイズ提供構成要素２１４と、および／または、ＣｏＭＰセットのためのＲＢバンドル・サイズにしたがって、ＲＢをバンドルするためのバンドル構成要素２１６とを備えうる。
【００２９】
アクセス・ポイント２０４はオプションとして、非ＣｏＭＰ通信のために利用されるＲＢバンドル・サイズを、ＣｏＭＰセット内の１または複数のアクセス・ポイントへ示すためのバンドル・サイズ提供構成要素２１８と、ＣｏＭＰセットのためのＲＢバンドル・サイズを得るためのセット・バンドル・サイズ受信構成要素２２０と、および／または、ＣｏＭＰセットのためのＲＢバンドル・サイズにしたがってＲＢをバンドルするためのバンドル構成要素２２２と、を含みうる。
【００３０】
一例によれば、アクセス・ポイント２０２は、デバイス２０６のサービス提供アクセス・ポイントでありうる。これによって、デバイス２０６は、アクセス・ポイント２０２，２０４を含むＣｏＭＰセット内のさらなるアクセス・ポイントとユーザ・プレーン・データを通信しながら、アクセス・ポイント２０２と、制御データを通信できるようになる。この例では、アクセス・ポイント２０２，２０４は、バンドルされたＲＢをプリコードするために、サービス提供アクセス・ポイント２０２のＲＢバンドル・サイズを利用しうる。したがって、例では、デバイス２０６が、ＣｏＭＰセット内の複数のアクセス・ポイントと通信しているとＣｏＭＰセット判定構成要素２０８が判定しうる。例えば、アクセス・ポイント２０２は、少なくとも部分的に、デバイス２０６から受信した測定レポートに基づいて、ＣｏＭＰセットに追加すべきアクセス・ポイントを決定することと、デバイス２０６から追加のアクセス・ポイントの識別子を受信すること等によって、デバイス２０６のためのＣｏＭＰセットを維持しうる。例えば、アクセス・ポイント２０２は、デバイス２０６のためのＣｏＭＰセット内のアクセス・ポイント２０４を関連付け、デバイス２０６への送信を調整するために、有線または無線によるバックホール接続によって通信しうる。この例では、ＣｏＭＰセット判定構成要素２０８は、アクセス・ポイント２０２によって維持されているような、デバイス２０６のためのＣｏＭＰセット内のアクセス・ポイントのための識別子を取得しうる。何れの場合であれ、ＣｏＭＰ判定構成要素２０８は、デバイス２０６のためのＣｏＭＰセット内のアクセス・ポイントに関連する識別子を取得しうる。
【００３１】
セット・バンドル・サイズ決定構成要素２１２は、ＣｏＭＰセットのためのＲＢバンドル・サイズとして、非ＣｏＭＰ通信のためのサービス提供アクセス・ポイント２０２によって利用されるローカルＲＢバンドル・サイズを決定しうる。例えば、説明されるように、これは、少なくとも部分的に、アクセス・ポイント２０２のローカル送信帯域幅（例えば、１または複数のデバイスと通信するためにアクセス・ポイント２０２によって利用される送信帯域幅）に基づきうる。特定の例では、アクセス・ポイント２０２は、１０ＭＨｚのローカル送信帯域幅のために、３ＲＢであるＲＢバンドル・サイズを使用しうる。アクセス・ポイント２０２は、５ＭＨｚのローカル送信帯域幅のために、２ＲＢであるＲＢバンドル・サイズを使用しうる。何れの場合であれ、セット・バンドル・サイズ提供構成要素２１４は、ＣｏＭＰセットのＲＢバンドル・サイズを、例えばアクセス・ポイント２０４のような、ＣｏＭＰセット内の他のアクセス・ポイントへ（例えば、バックホール接続を介して）通信しうる。
【００３２】
一例では、セット・バンドル・サイズ受信構成要素２２０は、デバイス２０６と通信するために、サービス提供アクセス・ポイント２０２から、ＣｏＭＰセットのＲＢバンドル・サイズを取得しうる。よって、バンドル構成要素２２２は、ＣｏＭＰセットのために、受信されたバンドル・サイズにしたがって、デバイス２０６へ送信するためのＲＢをバンドルしうる。さらに、セット・バンドル・サイズ提供構成要素２１４は、ＣｏＭＰセットのためのＲＢバンドル・サイズをデバイス２０６へ通信しうる。したがって、デバイス２０６は、同じＲＢバンドル・サイズにしたがってバンドルされた信号を、アクセス・ポイント２０２，２０４から受信し、これにしたがって、受信したＲＢバンドル・サイズを用いて、これら信号から、プリコーディングを除去しうる。前述したように、送信帯域幅は、アクセス・ポイント２０２，２０４間で変動しうるが、アクセス・ポイント２０４における送信帯域幅と、サービス提供アクセス・ポイント２０２におけるローカル送信帯域幅とは、デバイス２０６においてＣｏＭＰ通信を同時に受信することを容易にするために、周波数の同じ部分を含みうる（例えば、帯域幅は、同じキャリア周波数を中心としうる）ことが認識されるべきである。
【００３３】
別の例では、アクセス・ポイント２０２は、デバイス２０６のサービス提供アクセス・ポイントまたはその他であるに関わらず、ローカルＲＢバンドル・サイズの関数として、ＣｏＭＰセットのためのＲＢバンドル・サイズを計算し、（例えば、ローカル送信帯域幅、および／または、ＣｏＭＰセット内のその他のアクセス・ポイントの送信帯域幅に基づいて）ＣｏＭＰセット内のアクセス・ポイントのその他のＲＢバンドル・サイズを計算しうる。この例では、非ＣｏＭＰ通信のために、アクセス・ポイント２０４、および／または、デバイス２０６のためのＣｏＭＰセット内のその他のアクセス・ポイント、によって利用されるＲＢバンドル・サイズ（例えば、対応するアクセス・ポイントの送信帯域幅に基づくＲＢバンドル・サイズ）を取得しうる。一例において、デバイス２０６は、測定レポートに、ＲＢバンドル・サイズまたは送信帯域幅を提供しうる。別の例では、バンドル・サイズ受信構成要素２１０は、アクセス・ポイント２０４から、および、ＣｏＭＰセット内のその他のアクセス・ポイントから、ＲＢバンドル・サイズまたは送信帯域幅を要求しうる。そして、バンドル・サイズ提供構成要素２１８は、ＲＢバンドル・サイズ、送信帯域幅、または、ＲＢバンドル・サイズが導出されうるその他のインジケータを、アクセス・ポイント２０２へ示しうる。ローカルＲＢバンドル・サイズと、ＣｏＭＰセット内の他のアクセス・ポイントのために受信または導出されたＲＢバンドル・サイズとに基づいて、ＣｏＭＰセットのためのＲＢバンドル・サイズを計算しうる。
【００３４】
一例では、セット・バンドル・サイズ決定構成要素２１２は、受信されたＲＢバンドル・サイズの最小関数としてのＲＢバンドル・サイズと、アクセス・ポイント２０２によって利用されるローカルＲＢバンドル・サイズとを選択しうる。別の例では、セット・バンドル・サイズ判定構成要素２１２は、受信したＲＢバンドル・サイズおよび／またはローカルＲＢバンドル・サイズの最大関数、平均（mean average）関数、およびメジアン平均関数等を使用しうる。例において、アクセス・ポイント２０２は、デバイス２０６のサービス提供アクセス・ポイントでありうる。そして、デバイス２０６のためのＣｏＭＰセット内の各アクセス・ポイントのＲＢバンドル・サイズを収集しうる。この例では、説明したように、セット・バンドル・サイズ提供構成要素２１４は、ＣｏＭＰセット内の各アクセス・ポイントへ、ＣｏＭＰセットのために計算されたＲＢバンドル・サイズを通信し、（例えば、アクセス・ポイント２０４のような、ＣｏＭＰセット内のその他のアクセス・ポイントのセット・バンドル・サイズ受信構成要素２２０が、ＣｏＭＰセットのためのＲＢバンドル・サイズを受信しうる）。別の例では、ＣｏＭＰセット内の各アクセス・ポイントは、アクセス・ポイント２０２に類似しており、ＣｏＭＰセット内の各アクセス・ポイントからＲＢバンドル・サイズを受信し、ローカルＲＢバンドル・サイズおよび受信したＲＢバンドル・サイズに基づいて、ＣｏＭＰセットのためのＲＢバンドル・サイズを独立して計算しうる。ここで、ＣｏＭＰセット内のアクセス・ポイントはすべて、同じ計算アルゴリズムを使用する。
【００３５】
何れの場合であれ、セット・バンドル・サイズ提供構成要素２１４は同様に、（例えば、物理ダウンリンク制御チャネル（ＰＤＣＣＨ）等のような１または複数の制御チャネルによって）ＣｏＭＰセットのためのＲＢバンドル・サイズをデバイス２０６へ通信し、バンドル構成要素２１６および／またはバンドル構成要素２２２は、プリコーディングを適用するために、ＲＢバンドル・サイズにしたがってＲＢをバンドルしうる。さらに、例えば、上記が、所与のサブフレームまたは周波数領域リソースを介してデバイス２０６へ送信している、ＣｏＭＰセット内のアクセス・ポイントへ適用される場合、セット・バンドル・サイズ提供構成要素２１４はさらに、ＣｏＭＰセット内のアクセス・ポイントのセットをデバイス２０６へシグナルしうる。
【００３６】
さらに、別の例では、デバイス２０６は、ＲＢバンドル・サイズを計算するための構成要素を備えうる。そして、ＲＢバンドル・サイズを、ＣｏＭＰセット内のアクセス・ポイントへ通信しうる。したがって、デバイス２０６は、非ＣｏＭＰ通信のために、例えばアクセス・ポイント２０２，２０４のようなＣｏＭＰセット内のアクセス・ポイントによって利用されるＲＢバンドル・サイズを取得するためのバンドル・サイズ受信構成要素２１０を含みうる。デバイス２０６はさらに、ＣｏＭＰセットのためのＲＢバンドル・サイズを計算するためのセット・バンドル・サイズ決定構成要素２１２と、例えばアクセス・ポイント２０２，２０４のようなＣｏＭＰセット内のアクセス・ポイントへＲＢバンドル・サイズを通信するためのセット・バンドル・サイズ提供構成要素２１４とを含みうる。
【００３７】
別の例では、例えば、オペレーション、アドミニストレーション、およびマネジメント（ＯＡＭ）手順のためのアクセス・ポイント・ゲートウェイ（図示せず）のような、無線ネットワークの他のノードが、ＣｏＭＰセットのためのＲＢバンドル・サイズを指定しうる。これは、説明されたような構成要素を用いてノードによって同様に計算され、ＣｏＭＰセット内のサービス提供セルのＲＢバンドル・サイズを取得することに少なくとも部分的に基づいて指定されうる。
【００３８】
別の例では、デバイス２０６がＣｏＭＰセット内の複数のアクセス・ポイントと通信しているとＣｏＭＰセット判定構成要素２０８が判定しうる。そして、セット・バンドル・サイズ決定構成要素２１２は、ＣｏＭＰセット内のアクセス・ポイント間でのＲＢバンドル化のコンフリクトを緩和するために、ＲＢバンドル化をディセーブルすると決定しうる。この例では、アクセス・ポイント２０２は、サービス提供アクセス・ポイントであるか、または、ＣｏＭＰセット内のその他のアクセス・ポイントでありうる。さらに、セット・バンドリング・サイズ提供構成要素２１４は、ＲＢバンドルがディセーブルされていること、または、ＲＢバンドル・サイズがゼロであることを、（例えば、制御チャネルを介してシグナリングすることによって）デバイス２０６へ示しうる。別の例において、デバイス２０６は、デバイス２０６のために、ＣｏＭＰセット内の複数のアクセス・ポイントを決定することに少なくとも部分的に基づいて、ＲＢバンドル化がディセーブルされていると仮定しうる。
【００３９】
図３を参照して、帯域幅拡大を用いて通信をサポートする無線通信システム３００が例示される。システム３００は、無線ネットワークにおいてデバイス３０４と通信しうるアクセス・ポイント３０２を含んでいる。説明するように、アクセス・ポイント３０２は、マクロ・セル、フェムト・セル、ピコ・セル、または類似のアクセス・ポイント、モバイル基地局、リレー等でありうる。そして、デバイス３０４は、ＵＥ、モデム等でありうる。例えば、アクセス・ポイント３０２は、通信するために、帯域幅３０６および帯域幅拡大３０８を含むリソースをデバイス３０４へ割り当てうる。例えば、帯域幅拡大３０８は、帯域幅３０６と同じまたは異なる無線通信技術の隣接キャリアまたは非隣接キャリアに関連しうる。ここで、帯域幅３０６は、無線通信技術の基本帯域幅でありうる。例えば、アクセス・ポイント３０２は、帯域幅の増加、通信品質の向上等のために追加の通信リソースを提供することを容易にするために、帯域幅拡大３０８をデバイス３０４へ割り当てうる。
【００４０】
この例において、デバイス３０４は、帯域幅３０６および帯域幅拡大３０８によるアクセス・ポイント３０２からの統合通信のために、または、所与の帯域幅３０６と帯域幅拡大３０８のために個別に、ＲＢバンドル・サイズを導出しうる。例えば、デバイス３０４は、帯域幅３０６および帯域幅拡大３０８のための統合ＲＢバンドル・サイズのために、帯域幅３０６のみに基づいて決定されたＲＢバンドル・サイズに少なくとも部分的に基づいてＲＢバンドル・サイズを導出しうるか、または、決定されたＲＢバンドル・サイズのために、帯域幅３０６および帯域幅拡大３０６に基づいて（例えば、帯域幅と帯域幅拡大とを加えた合計サイズに基づいて）ＲＢバンドル・サイズを導出しうる。同様に、アクセス・ポイント３０２は、帯域幅３０６および帯域幅拡大３０８によって、統合通信ＲＢまたは個別通信ＲＢのためにＲＢバンドル・サイズを利用しうる。例において、アクセス・ポイント３０２は、ＲＢバンドル化に関する詳細をデバイス３０４へシグナルしうる。別の例では、ＲＢバンドル挙動が、ハードコードされ、設定され、さもなければ、デバイス３０４および／またはアクセス・ポイント３０２内に指定されうる。
【００４１】
図４は、少なくとも１つの帯域幅拡大を含む帯域幅割当のためのＲＢバンドル・サイズを決定するためのシステム４００を例示する。システム４００は、無線ネットワーク・アクセスをデバイス４０４へ提供するアクセス・ポイント４０２を含んでいる。説明するように、アクセス・ポイント４０２は、マクロ・セル、フェムト・セル、ピコ・セル、または類似のアクセス・ポイント、モバイル基地局、リレー等でありうる。そして、デバイス４０４は、ＵＥ、モデム等でありうる。
【００４２】
アクセス・ポイント４０２は、通信のために、１または複数の帯域幅割当をデバイスに関連付けるためのリソース割当構成要素４０６と、プリコーダを適用するためにＲＢをバンドル化する際に利用するＲＢバンドル・サイズを取得するためのバンドル・サイズ決定構成要素４０８と、ＲＢバンドル・サイズにしたがってＲＢをバンドル化するためのバンドル構成要素４１０と、同様のプリコーディングを、バンドル化されたＲＢへ適用するためのプリコーディング構成要素４１２とを含む。デバイス４０４は、アクセス・ポイントからリソース割当を取得するためのリソース受信構成要素４１４と、リソース割当によって通信されたＲＢのためのバンドル・サイズを認識するためのバンドル・サイズ決定構成要素４１６と、バンドル・サイズにしたがって、複数のＲＢからプリコーディングを除去するための復号構成要素４１８とを含む。
【００４３】
例によれば、リソース割当構成要素４０６は、デバイス４０４が通信するためのリソース割当を決定しうる。一例において、リソース割当構成要素４０６は、説明するように、同じ無線通信技術または異なる無線通信技術に関連する帯域幅拡大と共に、無線通信技術に関連する基本帯域幅割当を指定しうる。リソース受信構成要素４１４は、リソース割当を取得しうる。そして、アクセス・ポイント４０２から通信を受信するため、アクセス・ポイント４０２へ送信するため等のために、これらリソースを利用しうる。さらに、バンドル・サイズ決定構成要素４０８は、前述したように、同様なプリコーディングのために、帯域幅および／または帯域幅拡大によって、ＲＢをバンドルするためのＲＢバンドル・サイズを選択しうる。
【００４４】
一例では、バンドル・サイズ決定構成要素４０８は、帯域幅および帯域幅拡大による通信のために、統合バンドル・サイズを選択しうる。例えば、バンドル・サイズ決定構成要素４０８は、帯域幅のＲＢバンドル・サイズ、および／または、帯域幅に帯域幅拡大を加えたＲＢバンドル・サイズを決定しうる（例えば、ＲＢバンドル・サイズは、合計帯域幅サイズに基づきうる）。バンドル構成要素４１０は、ＲＢバンドル・サイズに基づいて、帯域幅および帯域幅拡大によるその後のバンドル化のためのＲＢを決定しうる。そして、プリコーディング構成要素４１２は、バンドルされたＲＢへ、同じプリコーダを適用しうる。アクセス・ポイント４０２は、プリコードされたＲＢを、デバイス４０４へ通信しうる。
【００４５】
この例では、バンドル・サイズ決定構成要素４１６が、帯域幅および帯域幅拡大のための統合バンドル・サイズを取得しうる。一例では、バンドル・サイズ決定構成要素４０８，４１６が、アクセス・ポイント４０２およびデバイス４０４内で、または、アクセス・ポイント４０２およびデバイス４０４に指定された、ハードコーディング、設定等にしたがって、帯域幅および帯域幅拡大のためのＲＢバンドル・サイズを認識しうる。この例では、バンドル・サイズ決定構成要素４１６は、（例えば、アクセス・ポイント４０２から受信された、帯域幅サイズに基づいて決定された等のような）帯域幅のためのＲＢバンドル・サイズ、および／または、（例えば、同様に、アクセス・ポイント４０２から受信された、帯域幅サイズと帯域幅拡大サイズとを組み合わせることに基づいて決定された等のような）帯域幅拡大と組み合わされた帯域幅のためのＲＢバンドル・サイズに少なくとも部分的に基づいて、帯域幅および帯域幅拡大のためのＲＢバンドル・サイズを決定しうる。何れの場合であれ、復号構成要素４１８は、決定されたプリコーディングを、ＲＢバンドル・サイズにしたがって、バンドルされたＲＢから除去しうる。
【００４６】
別の例では、バンドル・サイズ決定構成要素４０８は、帯域幅によって通信されたＲＢと、帯域幅拡大によって通信されたＲＢとのために、異なるバンドル・サイズを利用し、バンドル・サイズ決定構成要素４１５は、プリコーディングを除去するために、ＲＢバンドル・サイズを利用しうる。繰り返すが、バンドル・サイズ決定構成要素４０８，４１６は、アクセス・ポイント４０２およびデバイス４０４のそれぞれにおいて、ハードコーディング、設定、または、その他の指定によって、独立したバンドル化が、リソース割当の帯域幅部分および帯域幅拡大部分とともに使用されるべきであると判定しうる。さらに、バンドル・サイズ決定構成要素４０８，４１６は、帯域幅のサイズと、帯域幅拡大のサイズとに少なくとも部分的に基づいて、ＲＢバンドル・サイズを決定しうる。
【００４７】
一例では、帯域幅および／または帯域幅拡大サイズに少なくとも部分的に基づいてＲＢバンドル・サイズを計算するために、アクセス・ポイント４０２および／またはデバイス４０４において、ハードコーディング、設定等が指定されうる。これらは、方式、マッピング（例えば、１０ＭＨｚのために３ＲＢ、５ＭＨｚのために２ＲＢ等）等を含みうる。何れの場合であれ、バンドル・サイズ決定構成要素４０８は、代わりに、デバイス４０４に対して、選択されたＲＢバンドル・サイズ（単数または複数）、送信帯域幅等、および／または、バンドル化を帯域幅および帯域幅拡大に統合的にまたは個別に適用すべきか否かを通知しうる。そして、バンドル・サイズ決定構成要素４１６は、前述したように、決定することの代わりに、または、決定することに加えて、この通知を使用しうる。
【００４８】
図５−６に示すように、異なる送信帯域幅が観察される、ＲＢバンドル・サイズを決定することに関する方法が例示される。説明を単純にする目的で、これら方法は、一連の動作として示され説明されているが、これら方法は、１または複数の実施形態にしたがって、いくつかの動作が本明細書で示され記載されたものとは異なる順序で、あるいは他の動作と同時に生じうるので、動作の順序によって限定されないことが理解され認識されるべきである。例えば、方法は代わりに、例えば状態図におけるように、一連の相互関連する状態またはイベントとして表されうることが認識されるべきである。さらに、１または複数の実施形態にしたがって方法を実現するために、必ずしも例示されたすべての動作が必要とされる訳ではない。
【００４９】
図５では、調整された送信を提供する、アクセス・ポイントのセットのためのＲＢバンドル・サイズを決定するための方法５００が例示される。５０２では、デバイスのために調整された送信をサポートするアクセス・ポイントのセットが決定されうる。例えば、アクセス・ポイントは、ＣｏＭＰセット内に存在しうる。これは、デバイスや、ＣｏＭＰセット内のサービス提供アクセス・ポイント等によって格納および示されうる。さらに、このセットは、所与の持続時間や、所与の送信等のために適合しうる。５０４では、デバイスのための送信をプリコーディングする際に利用するための、アクセス・ポイントのセットのための共通リソース・ブロック・バンドル・サイズが決定されうる。共通ＲＢバンドル・サイズは、例えば、このセット内のすべてのアクセス・ポイントが、デバイスと通信する際に同じＲＢバンドル・サイズを利用できるように決定されうる。一例では、共通ＲＢバンドル・サイズは、（例えば、サービス提供アクセス・ポイントの送信帯域幅に基づいて、）このセット内のサービス提供アクセス・ポイントによって使用されるものとして決定されうる。別の例では、共通ＲＢバンドル・サイズが、ローカル送信帯域幅に基づくローカルＲＢバンドル・サイズと、セット内のその他のアクセス・ポイントによって使用される１または複数のその他のＲＢバンドル・サイズとの関数として計算されうる。さらに別の例では、共通ＲＢバンドル・サイズが、デバイスのために調整された送信をサポートするアクセス・ポイントのセットに基づいて、ゼロに設定されうる。５０６では、プリコーディングを適用するために、共通ＲＢバンドル・サイズに少なくとも部分的に基づいて、複数のＲＢが、バンドルされうる。例では、プリコードされたＲＢが、デバイスに送信されうる。したがって、共通ＲＢバンドル・サイズがさらに、デバイスへ通信されうる。
【００５０】
図６では、リソース割当のためのＲＢバンドル・サイズを決定するための方法６００が例示される。６０２では、帯域幅および帯域幅拡大を備える、リソース割当に関するＲＢバンドル・サイズが決定されうる。例えば、説明するように、通信の向上、データ・レートの増加等のため追加の帯域幅を提供するために、帯域幅拡大が割り当てられうる。リソース割当のためのＲＢバンドル・サイズが、帯域幅および帯域幅拡大のために統合的に、および／または、個別に決定されうる。ＲＢバンドル・サイズが統合的に決定された場合、説明するように、ＲＢバンドル・サイズが、帯域幅のみに基づいて、または、帯域幅および帯域幅拡大にともに基づいて（例えば、そのサイズに基づいて）決定されうる。６０４では、プリコードするため、または、複数のリソース・ブロックからプリコーディングを除去するために、ＲＢバンドル・サイズが利用されうる。これは、同様のプリコーディングを適用または除去するために、ＲＢをグループ化することを含みうる。
【００５１】
本明細書に記載された１または複数の態様によれば、推論は、説明されるように、ＲＢバンドル・サイズを決定することに関してなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関連する推理のプロセスを称する。推論は、特定の文脈または動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができうる。このような推論によって、イベントが時間的に近接していようといまいと、これらイベントおよびデータが１またはいくつかのイベント・ソースおよびデータ・ソースに由来していようと、観察されたイベントおよび／または格納されたイベント・データのセットから、新たなイベントまたは動作を構築することができる。
【００５２】
図７は、リソース割当のためのＲＢバンドル・サイズを決定することを容易にするモバイル・デバイス７００を例示する。モバイル・デバイス７００は、例えば（図示しない）受信アンテナから信号を受信し、受信した信号についてさまざまな動作（例えば、フィルタ、増幅、ダウンコンバート等）を実行し、これら調整された信号をデジタル化してサンプルを得る受信機７０２を備えうる。受信機７０２は、受信したシンボルを復調し、それらをチャネル推定のためにプロセッサ７０６へ提供する復調器７０４を備えうる。プロセッサ７０６は、受信機７０２によって受信された情報を分析すること、および／または、送信機７０８による送信のための情報を生成することに特化されたプロセッサ、モバイル・デバイス７００の１または複数の構成要素を制御するプロセッサ、および／または、受信機７０２によって受信された情報を分析することと、送信機７０８による送信のための情報を生成することと、モバイル・デバイス７００のうちの１または複数の構成要素を制御することとのすべて行うプロセッサでありうる。
【００５３】
モバイル・デバイス７００はさらにメモリ７１０を備えうる。このメモリ７１０は、プロセッサ７０６に動作可能に接続され、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ７１０はさらに、ＲＢバンドル・サイズを決定することに関連付けられたプロトコルおよび／またはアルゴリズムを格納しうる。
【００５４】
プロセッサ７０６はさらに、オプションとして、（リソース受信構成要素４１４に類似しうる）リソース受信構成要素７１２と、（バンドル・サイズ決定構成要素４１６に類似しうる）バンドル・サイズ決定構成要素７１４と、および／または、（復号構成要素４１８に類似しうる）復号構成要素７１６と、動作可能に接続されうる。モバイル・デバイス７００はさらに、送信機７０８による、例えば基地局、他のモバイル・デバイス等への送信のための信号を変調する変調器７１８を含む。例えば、バンドル・サイズ決定構成要素７１４によって決定されたＲＢバンドル・サイズに基づいて、受信機７０２によって受信され、復調器７０４によって復調された信号から、プリコーディングを除去しうる。プロセッサ７０６と別に示されているが、リソース受信構成要素７１２、バンドル・サイズ決定構成要素７１４、復号構成要素７１６、復調器７０４、および／または、変調器７１８は、プロセッサ７０６または複数のプロセッサ（図示せず）のうちの一部であることができ、および／または、プロセッサ７０６による実行のためにメモリ７１０内に命令群として格納されうることが認識されるべきである。
【００５５】
図８は、無線通信を用いて、１または複数のデバイスとの通信を容易にするシステム８００を例示する。システム８００は、（例えば、記載されているように、複数のネットワーク技術のものでありうる）複数の受信アンテナ８０６を介して１または複数のモバイル・デバイス８０４から信号（単数または複数）を受信する受信機８１０と、（例えば、記載されているように、複数のネットワーク技術のものでありうる）複数の送信アンテナ８０８を介して１または複数のモバイル・デバイス８０４へ送信する送信機８４０とを有する、実質的に任意の基地局（例えば、フェムト・セル、ピコ・セル、モバイル基地局、リレー等）でありうる基地局８０２を含む。受信機８１０は、１または複数の受信アンテナ８０６から情報を受信しうる。さらに、受信した情報を復調する復調器８１２と動作可能に関連付けられている。さらに、例において、受信機８１０は、有線バックホール・リンクから受信しうる。復調されたシンボルは、図７に関連して上述されたプロセッサに類似しているプロセッサ８１４によって分析される。プロセッサ８１４は、信号（例えば、パイロット）強度および／または干渉強度を推定すること、モバイル・デバイス（単数または複数）８０４（または、（図示しない）別の基地局）との間で送信または受信されるべきデータ、プリコーディングを適用するためのＲＢバンドル・サイズを決定すること、に関連する情報、および／または、本明細書に記載されたさまざまな動作および機能を実行することに関連するその他任意の適切な情報、を格納するメモリ８１６に接続されている。
【００５６】
プロセッサ８１４はさらに、オプションとして、ＣｏＭＰセット決定構成要素２０８に類似しうるＣｏＭＰセット決定構成要素８１８、（バンドル・サイズ受信構成要素２１０に類似しうる）バンドル・サイズ受信構成要素８２０、（セット・バンドル・サイズ決定構成要素２１２に類似しうる）セット・バンドル・サイズ構成要素８２２、（セット・バンドル・サイズ提供構成要素２１４に類似しうる）セット・バンドル・サイズ提供構成要素８２４、および／または、（バンドル構成要素２１６，２２２，４１０に類似しうる）バンドル構成要素８２６に接続される。それに加えて、プロセッサ８１４はさらに、オプションとして、（バンドル・サイズ提供構成要素２１８に類似しうる）バンドル・サイズ提供構成要素８２８、および／または、（セット・バンドル・サイズ受信構成要素２２０に類似しうる）セット・バンドル・サイズ受信構成要素８３０、に接続される。さらに、プロセッサ８１４は、オプションとして、（リソース割当構成要素４０６に類似しうる）リソース割当構成要素８３２、（プリコーディング構成要素４１２に類似しうる）プリコーディング構成要素８３４、および／または、（バンドル・サイズ決定構成要素４０８に類似しうる）バンドル・サイズ決定構成要素８３６、に接続される。
【００５７】
さらに、例えば、プロセッサ８１４は、送信される信号を、変調器８３８を用いて変調し、変調された信号を、送信機８４０を用いて送信しうる。送信機８４０は、Ｔｘアンテナ８０８を介してモバイル・デバイス８０４へ信号を送信しうる。さらに、プロセッサ８１４と別に示されているが、ＣｏＭＰセット決定構成要素８１８、バンドル・サイズ受信構成要素８２０、セット・バンドル・サイズ決定構成要素８２２、セット・バンドル・サイズ提供構成要素８２４、バンドル構成要素８２６、バンドル・サイズ提供構成要素８２８、セット・バンドル・サイズ受信構成要素８３０、リソース割当構成要素８３２、プリコーディング構成要素８３４、バンドル・サイズ決定構成要素８３６、復調器８１２、および／または、変調器８３８は、プロセッサ８１４または複数のプロセッサ（図示せず）の一部でありうるか、および／または、プロセッサ８１４による実行のために、メモリ８１６内、命令群として格納されうることが認識されるべきである。
【００５８】
図９に示すように、デバイスのために調整された送信をサポートするアクセス・ポイントのためのＲＢバンドル・サイズを決定するシステム９００が例示される。例えば、システム９００は、アクセス・ポイント内に少なくとも部分的に存在しうる。システム９００は、プロセッサ、ソフトウェア、またはこれらの組み合わせによって実現される機能を表す機能ブロックでありうる機能ブロックを含むものとして表されていることが認識されるべきである。システム９００は、連携して動作しうる電子構成要素の論理グループ９０２を含む。例えば、論理グループ９０２は、デバイスのために調整された送信をサポートするアクセス・ポイントのセットを決定するための電子構成要素９０４を含みうる。説明するように、アクセス・ポイントのセットは、デバイスや、ＣｏＭＰセット内のサービス提供アクセス・ポイント等によって示されるようなＣｏＭＰセットに対応しうる。さらに、論理グループ９０２は、デバイスのための送信をプリコーディングする際に利用するための、アクセス・ポイントのセットのための共通ＲＢバンドル・サイズを決定するための電子構成要素９０６を備えうる。
【００５９】
例えば、説明するように、電子構成要素９０６は、ＣｏＭＰセット内のアクセス・ポイントのＲＢバンドル・サイズの関数等として、ローカルＲＢバンドル・サイズとして、共通ＲＢバンドル・サイズを決定しうる。ここで、システム９００は、ＣｏＭＰセット内のサービス提供アクセス・ポイントである。さらに、電子構成要素９０６は、ＣｏＭＰ通信におけるＲＢバンドル化をディセーブルするために、共通ＲＢバンドル・サイズをゼロとして決定しうる。論理グループ９０２はまた、共通ＲＢバンドル・サイズに少なくとも部分的に基づいて、プリコーディングを適用するための複数のＲＢをバンドルするための電子構成要素９０８を備えうる。例えば、電子構成要素９０４は、前述したように、ＣｏＭＰセット決定構成要素２０８を含みうる。さらに、電子構成要素９０６は、前述したように、セット・バンドリング・サイズ決定構成要素２１２を含みうる。さらに、電子構成要素９０８は、バンドル構成要素２１６等を含みうる。
【００６０】
さらに、システム９００は、電子構成要素９０４，９０６，９０８に関連付けられた機能を実行するための命令群を保持するメモリ９１０を含みうる。メモリ９１０の外側にあるとして示されているが、電子構成要素９０４，９０６，９０８のうちの１または複数は、メモリ９１０内に存在しうることが理解されるべきである。一例において、電子構成要素９０４，９０６，９０８は、少なくとも１つのプロセッサを備えうる。または、電子構成要素９０４，９０６，９０８おのおのは、少なくとも１つのプロセッサの対応するモジュールでありうる。さらに、電子構成要素９０４，９０６，９０８は、コンピュータ読取可能な媒体を備えるコンピュータ・プログラム製品でありうる。ここで、おのおのの電子構成要素９０４，９０６，９０８は、対応するコードでありうる。
【００６１】
図１０に示すように、リソース割当のためのＲＢバンドル・サイズを決定するシステム１０００が例示される。例えば、システム１０００は、アクセス・ポイント、無線デバイス等の中に少なくとも部分的に存在しうる。システム１０００は、プロセッサ、ソフトウェア、またはこれらの組み合わせによって実現される機能を表す機能ブロックでありうる機能ブロックを含むものとして表されていることが認識されるべきである。システム１０００は、連携して動作しうる電子構成要素の論理グループ１００２を含む。例えば、論理グループ１００２は、帯域幅および帯域幅拡大を備えるリソース割当に関連するＲＢバンドル・サイズを決定するための電子構成要素１００４を含みうる。説明するように、これは、帯域幅および帯域幅拡大のために、ＲＢバンドル・サイズを統合的に、または、個別に決定することを含みうる。さらに、例えば、電子構成要素１００４は、ＲＢバンドル・サイズを統合的に決定する場合、帯域幅単独に基づいて、または、（例えば、そのサイズに基づいて）帯域幅拡大と組み合わされた帯域幅に基づいてこれを行うことができうる。
【００６２】
さらに、論理グループ１００２は、プリコードするため、または、アクセス・ポイントとデバイスとの間で通信された複数のＲＢからプリコーディングを除去するために、ＲＢバンドル・サイズを利用するための電子構成要素１００６を備えうる。例えば、電子構成要素１００４は、バンドル・サイズ決定構成要素４０８，４１６を備えうる。さらに、電子構成要素１００６は、プリコーディング構成要素４１２および／または復号構成要素４１８を含みうる。
【００６３】
さらに、システム１０００は、電子構成要素１００４，１００６に関連付けられた機能を実行するための命令群を保持するメモリ１００８を含みうる。メモリ１００８の外側にあると示されているが、電子構成要素１００４，１００６のうちの１または複数は、メモリ１００８内に存在しうることが理解されるべきである。一例において、電子構成要素１１０４，１１０６は、少なくとも１つのプロセッサを含みうる。または、電子構成要素１１０４，１１０６のおのおのは、少なくとも１つのプロセッサの対応するモジュールでありうる。さらに、電子構成要素１００４，１００６は、コンピュータ読取可能な媒体を備えるコンピュータ・プログラム製品でありうる。ここで、おのおのの電子構成要素１００４，１００６は、対応するコードまたは命令群でありうる。
【００６４】
図１１は、無線通信システム１１００を例示する。システム１１００は、簡潔さの目的で、１つの基地局１１１０と１つのモバイル・デバイス１１５０とを示している。しかしながら、システム１１００は、１より多い基地局、および／または、１より多いモバイル・デバイスを含むことができ、これら追加の基地局および／またはモバイル・デバイスは、以下に説明する基地局１１１０およびモバイル・デバイス１１５０の例と実質的に同じでも、別のものでもありうることが認識されるべきである。それに加えて、基地局１１１０および／またはモバイル・デバイス１１５０は、本明細書に記載されたシステム（図１−４、図８−１０）、方法（図５−６）、および／または、モバイル・デバイス（図７）を用いて、その間の無線通信を容易にする。例えば、本明細書に記載されたシステムおよび／または方法の構成要素または機能は、以下に記載されたメモリ１１３２および／またはメモリ１１７２あるいはプロセッサ１１３０および／またはプロセッサ１１７０の一部となることができ、および／または、開示された機能を実行するために、プロセッサ１１３０および／またはプロセッサ１１７０によって実行されうる。
【００６５】
基地局１１１０では、多くのデータ・ストリームのためのトラフィック・データが、データ・ソース１１１２から送信（ＴＸ）データ・プロセッサ１１１４へ提供される。例によれば、おのおののデータ・ストリームが、それぞれのアンテナを介して送信される。ＴＸデータ・プロセッサ１１１４は、トラフィック・データ・ストリームをフォーマットし、このデータ・ストリームのために選択された特定の符号化スキームに基づいて符号化し、インタリーブして、符号化されたデータを提供する。
【００６６】
おのおののデータ・ストリームの符号化されたデータは、直交周波数分割多重化（ＯＦＤＭ）技術を用いてパイロット・データと多重化されうる。さらに、あるいは、この代わりに、パイロット・シンボルは、周波数分割多重（ＦＤＭ）、時分割多重（ＴＤＭ）、あるいは符号分割多重（ＣＤＭ）されうる。パイロット・データは一般に、既知の方法で処理される既知のデータ・パターンであり、チャネル応答を推定するためにモバイル・デバイス１１５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供されうる。おのおののデータ・ストリームのデータ・レート、符号化、および変調は、プロセッサ１１３０によって実行または提供される指示によって決定されうる。
【００６７】
データ・ストリームの変調シンボルは、（例えば、ＯＦＤＭのために）変調シンボルを処理するＴＸ  ＭＩＭＯプロセッサ１１２０に提供される。ＴＸ  ＭＩＭＯプロセッサ１１２０は、その後、ＮＴ個の変調シンボル・ストリームを、ＮＴ個の送信機（ＴＭＴＲ）１１２２ａ乃至１１２２ｔへ提供する。さまざまな実施形態において、ＴＸ  ＭＩＭＯプロセッサ１１２０は、データ・ストリームのシンボル、および、そのシンボルが送信されるアンテナへ、ビームフォーミング重みを適用する。
【００６８】
おのおのの送信機１１２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１１２２ａ乃至１１２２ｔからのＮＴ個の変調信号が、ＮＴ個のアンテナ１１２４ａ乃至１１２４ｔから送信される。
【００６９】
モバイル・デバイス１１５０では、送信された変調信号が、ＮＲ個のアンテナ１１５２ａ乃至１１５２ｒによって受信され、各アンテナ１１５２から受信された信号が、それぞれの受信機（ＲＣＶＲ）１１５４ａ乃至１１５４ｒへと提供される。おのおのの受信機１１５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００７０】
ＲＸデータ・プロセッサ１１６０は、ＮＲ個の受信機１１５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１１６０は、検出されたおのおののシンボル・ストリームを復調し、デインタリーブし、復号して、そのデータ・ストリームのためのトラフィック・データを復元する。ＲＸデータ・プロセッサ１１６０による処理は、基地局１１１０におけるＴＸ  ＭＩＭＯプロセッサ１１２０およびＴＸデータ・プロセッサ１１１４によって実行されるものと相補的である。
【００７１】
逆方向リンク・メッセージは、通信リンクおよび／または受信されたデータ・ストリームに関するさまざまなタイプの情報を備えうる。逆方向リンク・メッセージは、データ・ソース１１３６から多くのデータ・ストリームのトラフィック・データをも受け取るＴＸデータ・プロセッサ１１３８によって処理され、変調器１１８０によって変調され、送信機１１５４ａ乃至１１５４ｒによって調整され、基地局１１１０へと送り返される。
【００７２】
基地局１１１０では、モバイル・デバイス１１５０からの変調信号が、アンテナ１１２４によって受信され、受信機１１２２によって調整され、復調器１１４０によって復調され、ＲＸデータ・プロセッサ１１４２によって処理されることにより、モバイル・デバイス１１５０によって送信された逆方向リンク・メッセージが抽出される。さらに、プロセッサ１１３０は、ビームフォーミング重みを決定するためにどのプリコーディング行列を使用するかを決定するために、この抽出されたメッセージを処理する。プロセッサ１１３０はさらに、ここで説明されているように、複数のＲＢにプリコーディングを適用するためのＲＢバンドル・サイズを決定しうる。プロセッサ１１７０は同様に、ＲＢが受信されると、ＲＢからプリコーディングを除去するため、（例えば、受信または計算された）ＲＢバンドル・サイズを決定しうる。
【００７３】
プロセッサ１１３０およびプロセッサ１１７０は、基地局１１１０およびモバイル・デバイス１１５０それぞれにおける動作を指示（例えば、制御、調整、管理等）する。プロセッサ１１３０およびプロセッサ１１７０はそれぞれ、本明細書に記載された機能を実行するためのプログラム・コードおよびデータを格納するメモリ１１３２およびメモリ１１７２に関連付けられうる。
【００７４】
本明細書で開示された実施形態に関連して記述されたさまざまな例示的なロジック、論理ブロック、モジュール、構成要素、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能でありうるが、代わりに、従来技術によるプロセッサ、コントローラ、マイクロ・コントローラ、あるいは順序回路を用いることも可能でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。さらに、少なくとも１つのプロセッサは、前述したステップおよび／または動作のうちの１または複数を実行するように動作可能な１または複数のモジュールを備えうる。典型的な記憶媒体は、プロセッサに結合されており、これによって、プロセッサは、記憶媒体との間で情報を読み書きできるようになりうる。あるいは、この記憶媒体は、プロセッサに統合されうる。さらに、いくつかの態様では、プロセッサと記憶媒体とが、ＡＳＩＣ内に存在しうる。さらに、ＡＳＩＣは、端末に存在しうる。あるいは、プロセッサおよび記憶媒体は、端末内のディスクリートな構成要素として存在しうる。
【００７５】
１または複数の態様では、説明された機能、方法、またはアルゴリズムが、ハードウェア、ソフトウェア、ファームウェア、またはこれらの任意の組み合わせで実現されうる。ソフトウェアで実現される場合、これら機能は、コンピュータ・プログラム製品に組み込まれうるコンピュータ読取可能な媒体上のコード、または、１または複数の命令群として格納または送信されうる。コンピュータ読取可能な媒体は、コンピュータ記憶媒体を含む。記憶媒体は、コンピュータによってアクセスされうる任意の利用可能な媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。上記の組み合わせもまた、コンピュータ読取可能な媒体の範囲内に含まれるべきである。
【００７６】
前述した開示は、例示的な態様および／または実施形態を開示しているが、さまざまな変更および修正が、特許請求の範囲で定義されたような説明された態様および／または実施形態の範囲から逸脱することなくなされうる  ことが注目されるべきである。さらに、記載された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
2014209769.tif 000003
【図２】
2014209769.tif 000004
【図３】
2014209769.tif 000005
【図４】
2014209769.tif 000006
【図５】
2014209769.tif 000007
【図６】
2014209769.tif 000008
【図７】
2014209769.tif 000009
【図８】
2014209769.tif 000010
【図９】
2014209769.tif 000011
【図１０】
2014209769.tif 000012
【図１１】
2014209769.tif 000013
【手続補正書】
【提出日】平成26年7月3日(2014.7.3)
【手続補正１】
【補正対象書類名】特許請求の範囲
【補正対象項目名】全文
【補正方法】変更
【補正の内容】
【特許請求の範囲】
【請求項１】
無線通信の方法であって、
ユーザ機器（ＵＥ）において、リソース割当のためのリソース・ブロック・バンドル・サイズを決定することと、なお、前記リソース・ブロック・バンドル・サイズは、前記ＵＥのために調整された送信をサポートするアクセス・ポイントのセットに属するサービス提供アクセス・ポイントの送信帯域幅に基づく、
前記ＵＥにおいて、複数のリソース・ブロックを処理するために前記リソース・ブロック・バンドル・サイズを利用することと、
を備える方法。
【請求項２】
送信帯域幅拡大が、前記ＵＥと前記アクセス・ポイントのセットのうちの少なくとも１つのアクセス・ポイントとの間の通信のために使用され、前記決定することはさらに、前記送信帯域幅及び前記送信帯域幅拡大に基づいて前記リソース・ブロック・バンドル・サイズを決定することを備える、請求項１に記載の方法。
【請求項３】
前記決定することは、
前記送信帯域幅に基づいて、前記リソース割当の第１の部分のための第１のリソース・ブロック・バンドル・サイズを決定することと、
前記送信帯域幅拡大に基づいて、前記リソース割当の第２の部分のための第２のリソース・ブロック・バンドル・サイズを決定することとをさらに備える、請求項２に記載の方法。
【請求項４】
無線通信のためのユーザ機器（ＵＥ）であって、
リソース割当のためのリソース・ブロック・バンドル・サイズを決定し、なお、前記リソース・ブロック・バンドル・サイズは、前記ＵＥのために調整された送信をサポートするアクセス・ポイントのセットに属するサービス提供アクセス・ポイントの送信帯域幅に基づく、
複数のリソース・ブロックを処理するために前記リソース・ブロック・バンドル・サイズを利用する
ように構成された少なくとも１つのプロセッサと、
前記少なくとも１つのプロセッサに接続されたメモリと、
を備えるユーザ機器。
【請求項５】
送信帯域幅拡大が、前記ＵＥと前記アクセス・ポイントのセットのうちの少なくとも１つのアクセス・ポイントとの間の通信のために使用され、前記少なくとも１つのプロセッサはさらに、前記送信帯域幅及び前記送信帯域幅拡大に基づいて前記リソース・ブロック・バンドル・サイズを決定するように構成される、請求項４に記載のユーザ機器。
【請求項６】
前記少なくとも１つのプロセッサは、
前記送信帯域幅に基づいて、前記リソース割当の第１の部分のための第１のリソース・ブロック・バンドル・サイズを決定することと、
前記送信帯域幅拡大に基づいて、前記リソース割当の第２の部分のための第２のリソース・ブロック・バンドル・サイズを決定することとによって、前記リソース・ブロック・バンドル・サイズを決定するように構成された、請求項５に記載のユーザ機器。
【請求項７】
無線通信のための装置であって、
ユーザ機器（ＵＥ）において、リソース割当のためのリソース・ブロック・バンドル・サイズを決定する手段と、なお、前記リソース・ブロック・バンドル・サイズは、前記ＵＥのために調整された送信をサポートするアクセス・ポイントのセットに属するサービス提供アクセス・ポイントの送信帯域幅に基づく、
前記ＵＥにおいて、複数のリソース・ブロックを処理するために前記リソース・ブロック・バンドル・サイズを利用する手段と、
を備える装置。
【請求項８】
送信帯域幅拡大が、前記ＵＥと前記アクセス・ポイントのセットのうちの少なくとも１つのアクセス・ポイントとの間の通信のために使用され、前記決定する手段はさらに、前記送信帯域幅及び前記送信帯域幅拡大に基づいて前記リソース・ブロック・バンドル・サイズを決定する手段を備える、請求項７に記載の装置。
【請求項９】
前記決定する手段は、
前記送信帯域幅に基づいて、前記リソース割当の第１の部分のための第１のリソース・ブロック・バンドル・サイズを決定する手段と、
前記送信帯域幅拡大に基づいて、前記リソース割当の第２の部分のための第２のリソース・ブロック・バンドル・サイズを決定する手段と、
を備える、請求項８に記載の装置。
【請求項１０】
コンピュータ読取可能な記憶媒体であって、
ユーザ機器（ＵＥ）においてリソース割当のためのリソース・ブロック・バンドル・サイズを決定するプログラム・コードと、なお、前記リソース・ブロック・バンドル・サイズは、前記ＵＥのために調整された送信をサポートするアクセス・ポイントのセットに属するサービス提供アクセス・ポイントの送信帯域幅に基づく、
前記ユーザ機器（ＵＥ）において複数のリソース・ブロックを処理するために前記リソース・ブロック・バンドル・サイズを利用するプログラム・コードと、
を備えるコンピュータ読取可能な記憶媒体。
【請求項１１】
送信帯域幅拡大が、前記ＵＥと前記アクセス・ポイントのセットのうちの少なくとも１つのアクセス・ポイントとの間の通信のために使用され、前記プログラム・コードはさらに、前記送信帯域幅及び前記送信帯域幅拡大に基づいて前記リソース・ブロック・バンドル・サイズを決定するプログラム・コードを備える、請求項１０に記載のコンピュータ読取可能な記憶媒体。
【請求項１２】
前記決定するためのプログラム・コードは、
前記送信帯域幅に基づいて、前記リソース割当の第１の部分のための第１のリソース・ブロック・バンドル・サイズを決定するプログラム・コードと、
前記送信帯域幅拡大に基づいて、前記リソース割当の第２の部分のための第２のリソース・ブロック・バンドル・サイズを決定するプログラム・コードと、
を備える、請求項１１に記載のコンピュータ読取可能な記憶媒体。
【手続補正２】
【補正対象書類名】明細書
【補正対象項目名】００７６
【補正方法】変更
【補正の内容】
【００７６】
前述した開示は、例示的な態様および／または実施形態を開示しているが、さまざまな変更および修正が、特許請求の範囲で定義されたような説明された態様および／または実施形態の範囲から逸脱することなくなされうる  ことが注目されるべきである。さらに、記載された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
以下に、本願の当初の特許請求の範囲に記載された発明を付記する。
［１］無線通信の方法であって、
デバイスのために調整された送信をサポートするアクセス・ポイントのセットを決定することと、
前記デバイスのための送信をプリコーディングする際に利用するための、前記アクセス・ポイントのセットのための共通リソース・ブロック・バンドル・サイズを決定することと、
前記共通リソース・ブロック・バンドル・サイズに少なくとも部分的に基づいて、複数のリソース・ブロックをバンドルすることと、を備える方法。
［２］前記アクセス・ポイントのセットは、前記デバイスと通信するために第２のアクセス・ポイントによって利用される第２の送信帯域幅とは異なる、前記デバイスと通信するための第１の送信帯域幅を利用する第１のアクセス・ポイントを含む、［１］に記載の方法。
［３］前記共通リソース・ブロック・バンドル・サイズを、前記アクセス・ポイントのセットにおける少なくとも１つのアクセス・ポイントへ、バックホール接続を介して通信すること、をさらに備える［１］に記載の方法。
［４］前記共通リソース・ブロック・バンドル・サイズを決定することは、前記アクセス・ポイントのセットにおけるサービス提供アクセス・ポイントの送信帯域幅に少なくとも部分的に基づいて、リソース・ブロック・バンドル・サイズを利用することを含む、［１］に記載の方法。
［５］前記アクセス・ポイントのセットにおける１または複数のアクセス・ポイントのうちの、別の１または複数のリソース・ブロック・バンドル・サイズを決定することをさらに備え、
前記共通リソース・ブロック・バンドル・サイズを決定することは、ローカル・リソース・ブロック・バンドル・サイズと、前記別の１または複数のリソース・ブロック・バンドル・サイズとの関数として、前記共通リソース・ブロック・バンドル・サイズを計算することを含む、［１］に記載の方法。
［６］前記関数は、最小関数、最大関数、および平均関数のうちの１つを含む、［５］に記載の方法。
［７］前記別の１または複数のリソース・ブロック・バンドル・サイズを決定することは、
前記１または複数のアクセス・ポイントから、前記別の１または複数のリソース・ブロック・バンドル・サイズを受信することと、
前記１または複数のアクセス・ポイントの１または複数の送信帯域幅から、前記別の１または複数のリソース・ブロック・バンドル・サイズを導出することと、のうちの１つを含む、［５］に記載の方法。
［８］前記共通リソース・ブロック・バンドル・サイズを決定することは、前記アクセス・ポイントのセットが、前記デバイスのために調整された送信をサポートすると判定することに少なくとも部分的に基づいて、リソース・ブロックをバンドルすることをディセーブルすることを含む、［１］に記載の方法。
［９］前記共通リソース・ブロック・バンドル・サイズを前記デバイスへシグナルすること、をさらに備える［１］に記載の方法。
［１０］無線通信のための装置であって、
デバイスのために調整された送信をサポートするアクセス・ポイントのセットを決定し、
前記デバイスのための送信をプリコーディングする際に利用するための、前記アクセス・ポイントのセットのための共通リソース・ブロック・バンドル・サイズを決定し、
前記共通リソース・ブロック・バンドル・サイズに少なくとも部分的に基づいて、複数のリソース・ブロックをバンドルするように構成された少なくとも１つのプロセッサと、
前記少なくとも１つのプロセッサに接続されたメモリと、を備える装置。
［１１］前記アクセス・ポイントのセットは、前記デバイスと通信するために第２のアクセス・ポイントによって利用される第２の送信帯域幅とは異なる、前記デバイスと通信するための第１の送信帯域幅を利用する第１のアクセス・ポイントを含む、［１０］に記載の装置。
［１２］前記少なくとも１つのプロセッサはさらに、前記共通リソース・ブロック・バンドル・サイズを、前記アクセス・ポイントのセットにおける少なくとも１つのアクセス・ポイントへ、バックホール接続を介して通信するように構成された、［１０］に記載の装置。
［１３］前記少なくとも１つのプロセッサは、前記アクセス・ポイントのセットにおけるサービス提供アクセス・ポイントの送信帯域幅に少なくとも部分的に基づいて、リソース・ブロック・バンドル・サイズを利用することによって、前記共通リソース・ブロック・バンドル・サイズを決定するように構成された、［１０］に記載の装置。
［１４］前記少なくとも１つのプロセッサはさらに、前記アクセス・ポイントのセットにおける１または複数のアクセス・ポイントのうちの、別の１または複数のリソース・ブロック・バンドル・サイズを決定するように構成され、
前記少なくとも１つのプロセッサは、ローカル・リソース・ブロック・バンドル・サイズと、前記別の１または複数のリソース・ブロック・バンドル・サイズとの関数として、前記共通リソース・ブロック・バンドル・サイズを計算することによって、前記共通リソース・ブロック・バンドル・サイズを決定するように構成された、［１０］に記載の装置。
［１５］前記関数は、最小関数、最大関数、および平均関数のうちの１つを含む、［１４］に記載の装置。
［１６］前記少なくとも１つのプロセッサは、
前記１または複数のアクセス・ポイントから、前記別の１または複数のリソース・ブロック・バンドル・サイズを受信することと、
前記１または複数のアクセス・ポイントの１または複数の送信帯域幅から、前記別の１または複数のリソース・ブロック・バンドル・サイズを導出することと、のうちの１つによって、前記別の１または複数のリソース・ブロック・バンドル・サイズを決定するように構成された、［１４］に記載の装置。
［１７］前記少なくとも１つのプロセッサは、前記アクセス・ポイントのセットが、前記デバイスのために調整された送信をサポートすると判定することに少なくとも部分的に基づいて、リソース・ブロックをバンドルすることをディセーブルすることによって、前記共通リソース・ブロック・バンドル・サイズを決定するように構成された、［１０］に記載の装置。
［１８］前記少なくとも１つのプロセッサはさらに、前記共通リソース・ブロック・バンドル・サイズを前記デバイスへシグナルするように構成された、［１０］に記載の装置。
［１９］無線通信のための装置であって、
デバイスのために調整された送信をサポートするアクセス・ポイントのセットを決定する手段と、
前記デバイスのための送信をプリコーディングする際に利用するための、前記アクセス・ポイントのセットのための共通リソース・ブロック・バンドル・サイズを決定する手段と、
前記共通リソース・ブロック・バンドル・サイズに少なくとも部分的に基づいて、複数のリソース・ブロックをバンドルする手段と、を備える装置。
［２０］前記アクセス・ポイントのセットは、前記デバイスと通信するために第２のアクセス・ポイントによって利用される第２の送信帯域幅とは異なる、前記デバイスと通信するための第１の送信帯域幅を利用する第１のアクセス・ポイントを含む、［１９］に記載の装置。
［２１］前記共通リソース・ブロック・バンドル・サイズを、前記アクセス・ポイントのセットにおける少なくとも１つのアクセス・ポイントへ、バックホール接続を介して通信する手段、をさらに備える［１９］に記載の装置。
［２２］前記共通リソース・ブロック・バンドル・サイズを決定する手段は、前記アクセス・ポイントのセットにおけるサービス提供アクセス・ポイントの送信帯域幅に少なくとも部分的に基づいて、リソース・ブロック・バンドル・サイズを利用する手段を含む、［１９］に記載の装置。
［２３］前記アクセス・ポイントのセットにおける１または複数のアクセス・ポイントのうちの、別の１または複数のリソース・ブロック・バンドル・サイズを決定する手段をさらに備え、
前記共通リソース・ブロック・バンドル・サイズを決定する手段は、ローカル・リソース・ブロック・バンドル・サイズと、前記別の１または複数のリソース・ブロック・バンドル・サイズとの関数として、前記共通リソース・ブロック・バンドル・サイズを計算する手段を含む、［１９］に記載の装置。
［２４］前記関数は、最小関数、最大関数、および平均関数のうちの１つを含む、［２３］に記載の装置。
［２５］前記別の１または複数のリソース・ブロック・バンドル・サイズを決定する手段は、
前記１または複数のアクセス・ポイントから、前記別の１または複数のリソース・ブロック・バンドル・サイズを受信する手段と、
前記１または複数のアクセス・ポイントの１または複数の送信帯域幅から、前記別の１または複数のリソース・ブロック・バンドル・サイズを導出する手段と、のうちの１つを含む、［２３］に記載の装置。
［２６］前記共通リソース・ブロック・バンドル・サイズを決定する手段は、前記アクセス・ポイントのセットが、前記デバイスのために調整された送信をサポートすると判定することに少なくとも部分的に基づいて、リソース・ブロックをバンドルすることをディセーブルする手段を含む、［１９］に記載の装置。
［２７］前記共通リソース・ブロック・バンドル・サイズを前記デバイスへシグナルする手段、をさらに含む［１９］に記載の装置。
［２８］コンピュータ読取可能な媒体を備えるコンピュータ・プログラム製品であって、
前記コンピュータ読取可能な媒体は、
少なくとも１つのコンピュータに対して、デバイスのために調整された送信をサポートするアクセス・ポイントのセットを決定させるための命令群と、
前記少なくとも１つのコンピュータに対して、前記デバイスのための送信をプリコーディングする際に利用するための、前記アクセス・ポイントのセットのための共通リソース・ブロック・バンドル・サイズを決定させるための命令群と、
前記少なくとも１つのコンピュータに対して、前記共通リソース・ブロック・バンドル・サイズに少なくとも部分的に基づいて、複数のリソース・ブロックをバンドルさせるための命令群とを備える、コンピュータ・プログラム製品。
［２９］前記アクセス・ポイントのセットは、前記デバイスと通信するために第２のアクセス・ポイントによって利用される第２の送信帯域幅とは異なる、前記デバイスと通信するための第１の送信帯域幅を利用する第１のアクセス・ポイントを含む、［２８］に記載のコンピュータ・プログラム製品。
［３０］前記コンピュータ読取可能な媒体はさらに、前記少なくとも１つのコンピュータに対して、前記共通リソース・ブロック・バンドル・サイズを、前記アクセス・ポイントのセットにおける少なくとも１つのアクセス・ポイントへ、バックホール接続を介して通信させるための命令群を含む、［２８］に記載のコンピュータ・プログラム製品。
［３１］前記少なくとも１つのコンピュータに対して、前記共有リソース・ブロック・サイズを決定させるための命令群は、前記少なくとも１つのコンピュータに対して、前記アクセス・ポイントのセットにおけるサービス提供アクセス・ポイントの送信帯域幅に少なくとも部分的に基づいて、リソース・ブロック・バンドル・サイズを利用させるための命令群を含む、［２８］に記載のコンピュータ・プログラム製品。
［３２］前記コンピュータ読取可能な媒体はさらに、前記少なくとも１つのコンピュータに対して、前記アクセス・ポイントのセットにおける１または複数のアクセス・ポイントのうちの、別の１または複数のリソース・ブロック・バンドル・サイズを決定させるための命令群を含み、
前記少なくとも１つのコンピュータに対して、前記共通リソース・ブロック・サイズを決定させるための命令群は、
前記少なくとも１つのコンピュータに対して、ローカル・リソース・ブロック・バンドル・サイズと、前記別の１または複数のリソース・ブロック・バンドル・サイズとの関数として、前記共通リソース・ブロック・バンドル・サイズを計算させるための命令群を含む、［２８］に記載のコンピュータ・プログラム製品。
［３３］前記関数は、最小関数、最大関数、および平均関数のうちの１つを含む、［３２］に記載のコンピュータ・プログラム製品。
［３４］前記少なくとも１つのコンピュータに対して、前記別の１または複数のリソース・ブロック・バンドル・サイズを決定させるための命令群は、
前記少なくとも１つのコンピュータに対して、前記１または複数のアクセス・ポイントから、前記別の１または複数のリソース・ブロック・バンドル・サイズを受信させるための命令群と、
前記少なくとも１つのコンピュータに対して、前記１または複数のアクセス・ポイントの１または複数の送信帯域幅から、前記別の１または複数のリソース・ブロック・バンドル・サイズを導出させるための命令群とのうちの１つを含む、［３２］に記載のコンピュータ・プログラム製品。
［３５］前記少なくとも１つのコンピュータに対して、前記共通リソース・ブロック・バンドル・サイズを決定させるための命令群は、前記少なくとも１つのコンピュータに対して、前記アクセス・ポイントのセットが、前記デバイスのために調整された送信をサポートすると判定することに少なくとも部分的に基づいて、リソース・ブロックをバンドルすることをディセーブルさせるための命令群を含む、［２８］に記載のコンピュータ・プログラム製品。
［３６］前記コンピュータ読取可能な媒体はさらに、前記少なくとも１つのコンピュータに対して、前記共通リソース・ブロック・バンドル・サイズを前記デバイスへシグナルさせるための命令群を含む、［２８］に記載のコンピュータ・プログラム製品。
［３７］無線通信の方法であって、
帯域幅および帯域幅拡大を含む、リソース割当に関するリソース・ブロック・バンドル・サイズを決定することと、
プリコードするため、または、複数のリソース・ブロックからプリコーディングを除去するために、前記リソース・ブロック・バンドル・サイズを利用することと、を備える方法。
［３８］前記決定することは、前記帯域幅に基づいて、前記リソース・ブロック・バンドル・サイズを決定することを含む、［３７］に記載の方法。
［３９］前記決定することは、前記帯域幅および前記帯域幅拡大に基づいて、前記リソース・ブロック・バンドル・サイズを決定することを含む、［３７］に記載の方法。
［４０］前記決定することは、
前記帯域幅に基づいて、前記リソース割当の第１の部分のための第１のリソース・ブロック・バンドル・サイズを決定することと、
前記帯域幅拡大に基づいて、前記リソース割当の第２の部分のための第２のリソース・ブロック・バンドル・サイズを決定することとを含む、［３７］に記載の方法。
［４１］無線通信のための装置であって、
帯域幅および帯域幅拡大を含む、リソース割当に関するリソース・ブロック・バンドル・サイズを決定し、
プリコードするため、または、複数のリソース・ブロックからプリコーディングを除去するために、前記リソース・ブロック・バンドル・サイズを利用するように構成された少なくとも１つのプロセッサと、
前記少なくとも１つのプロセッサに接続されたメモリと、を備える装置。
［４２］前記少なくとも１つのプロセッサは、前記帯域幅に基づいて、前記リソース・ブロック・バンドル・サイズを決定するように構成された、［４１］に記載の装置。
［４３］前記少なくとも１つのプロセッサは、前記帯域幅および前記帯域幅拡大に基づいて、前記リソース・ブロック・バンドル・サイズを決定するように構成された、［４１］に記載の装置。
［４４］前記少なくとも１つのプロセッサは、
前記帯域幅に基づいて、前記リソース割当の第１の部分のための第１のリソース・ブロック・バンドル・サイズを決定することと、
前記帯域幅拡大に基づいて、前記リソース割当の第２の部分のための第２のリソース・ブロック・バンドル・サイズを決定することとによって、前記リソース・ブロック・バンドル・サイズを決定するように構成された、［４１］に記載の装置。
［４５］無線通信のための装置であって、
帯域幅および帯域幅拡大を含む、リソース割当に関するリソース・ブロック・バンドル・サイズを決定する手段と、
プリコードするため、または、複数のリソース・ブロックからプリコーディングを除去するために、前記リソース・ブロック・バンドル・サイズを利用する手段と、を備える装置。
［４６］前記決定する手段は、前記帯域幅に基づいて、前記リソース・ブロック・バンドル・サイズを決定する手段を含む、［４５］に記載の装置。
［４７］前記決定する手段は、前記帯域幅および前記帯域幅拡大に基づいて、前記リソース・ブロック・バンドル・サイズを決定する手段を含む、［４５］に記載の装置。
［４８］前記決定する手段は、
前記帯域幅に基づいて、前記リソース割当の第１の部分のための第１のリソース・ブロック・バンドル・サイズを決定する手段と、
前記帯域幅拡大に基づいて、前記リソース割当の第２の部分のための第２のリソース・ブロック・バンドル・サイズを決定する手段とを含む、［４５］に記載の装置。
［４９］コンピュータ読取可能な媒体を備えるコンピュータ・プログラム製品であって、
前記コンピュータ読取可能な媒体は、
少なくとも１つのコンピュータに対して、帯域幅および帯域幅拡大を含む、リソース割当に関するリソース・ブロック・バンドル・サイズを決定させるための命令群と、
前記少なくとも１つのコンピュータに対して、プリコードするため、または、複数のリソース・ブロックからプリコーディングを除去するために、前記リソース・ブロック・バンドル・サイズを利用させるための命令群とを備える、コンピュータ・プログラム製品。
［５０］前記少なくとも１つのコンピュータに対して決定させるための命令群は、前記少なくとも１つのコンピュータに対して、前記帯域幅に基づいて、前記リソース・ブロック・バンドル・サイズを決定させるための命令群を含む、［４９］に記載のコンピュータ・プログラム製品。
［５１］前記少なくとも１つのコンピュータに対して決定させるための命令群は、前記少なくとも１つのコンピュータに対して、前記帯域幅および前記帯域幅拡大に基づいて、前記リソース・ブロック・バンドル・サイズを決定させるための命令群を含む、［４９］に記載のコンピュータ・プログラム製品。
［５２］前記少なくとも１つのコンピュータに対して決定させるための命令群は、
前記少なくとも１つのコンピュータに対して、前記帯域幅に基づいて、前記リソース割当の第１の部分のための第１のリソース・ブロック・バンドル・サイズを決定させるための命令群と、
前記少なくとも１つのコンピュータに対して、前記帯域幅拡大に基づいて、前記リソース割当の第２の部分のための第２のリソース・ブロック・バンドル・サイズを決定させるための命令群とを含む、［４９］に記載のコンピュータ・プログラム製品。
【外国語明細書】
2014209769000001.pdf